(57)【要約】【課題】複数のシリンダ室の少なくとも１室を休止させて容量制御を行うことである。【解決手段】ブレード（25）は、先端が外側シリンダ部（21a）の内周面に摺接する第１状態と、先端が環状ピストン（23）の分断箇所内に位置して外側シリンダ室（C1）のみを休止させる第２状態と、先端が内側シリンダ部（21b）の分断箇所内に位置して外側シリンダ室（C1）および中間シリンダ室（C2）のみを休止させる第３状態と、先端がブレード溝（26）内に位置して全てのシリンダ室（C1,C2,C3）を休止させる全休止状態とになるように進退する。【選択図】  図２
2006307762.tif 000002
【特許請求の範囲】
【請求項１】
環状のシリンダ室（C1,C2）を有するシリンダ（21）と、
該シリンダ（21）に対して偏心してシリンダ室（C1,C2）に収納され、該シリンダ室（C1,C2）を外側シリンダ室（C1）と内側シリンダ室（C2）とに区画する環状ピストン（23）と、
少なくとも上記環状ピストン（23）を貫通し、外側シリンダ室（C1）および内側シリンダ室（C2）を高圧室（C1-Hp,C2-Hp）と低圧室（C1-Lp,C2-Lp）とに区画するブレード（25）とを備え、
上記シリンダ（21）と環状ピストン（23）とは相対的に偏心回転運動をするように構成される一方、
上記ブレード（25）は、上記外側シリンダ室（C1）および内側シリンダ室（C2）の少なくとも何れか１室が１回転運動中において単一空間となるように上記ブレード（25）の長手方向に進退自在に構成されている
ことを特徴とする回転式流体機械。
【請求項２】
請求項１において、
上記環状ピストン（23）は、ブレード（25）が貫通可能に一部分が分断されたＣ型に形成され、
上記ブレード（25）は、シリンダ室（C1,C2）の内周側の壁内に形成されたブレード溝（26）にシリンダ（21）の径方向に沿って進退自在に挿入される一方、
上記ブレード（25）は、先端がシリンダ室（C1,C2）の外周側の壁面に摺接して外側シリンダ室（C1）および内側シリンダ室（C2）を高圧室（C1-Hp,C2-Hp）と低圧室（C1-Lp,C2-Lp）とに区画する第１状態と、先端が環状ピストン（23）の分断箇所内に位置して外側シリンダ室（C1）のみを単一空間とする第２状態とになるように進退する
ことを特徴とする回転式流体機械。
【請求項３】
請求項１において、
上記環状ピストン（23）は、ブレード（25）が貫通可能に一部分が分断されたＣ型に形成され、
上記ブレード（25）は、シリンダ室（C1,C2）の外周側の壁内に形成されたブレード溝（26）にシリンダ（21）の径方向に沿って進退自在に挿入される一方、
上記ブレード（25）は、先端がシリンダ室（C1,C2）の内周側の壁面に摺接して外側シリンダ室（C1）および内側シリンダ室（C2）を高圧室（C1-Hp,C2-Hp）と低圧室（C1-Lp,C2-Lp）とに区画する第１状態と、先端が環状ピストン（23）の分断箇所内に位置して内側シリンダ室（C2）のみを単一空間とする第２状態とになるように進退する
ことを特徴とする回転式流体機械。
【請求項４】
請求項２または３において、
上記ブレード（25）は、先端がブレード溝（26）内に位置して外側シリンダ室（C1）および内側シリンダ室（C2）をそれぞれ単一空間とする第３状態になるように進退する
ことを特徴とする回転式流体機械。
【請求項５】
内側シリンダ室（C3）および外側の環状シリンダ室（C1,C2）を形成する内側シリンダ部（21b）と外側シリンダ部（21a）とを有するシリンダ（21）と、
上記内側シリンダ室（C3）に収納される内ピストン部（24）および環状シリンダ室（C1,C2）に収納されて該環状シリンダ室（C1,C2）を外側シリンダ室（C1）と中間シリンダ室（C2）とに区画する外ピストン部（23）を有し、上記内ピストン部（24）および外ピストン部（23）が一体となって上記シリンダ（21）に対して偏心しているピストン（17）と、
上記内側シリンダ室（C3）、中間シリンダ室（C2）および外側シリンダ室（C1）を高圧室（C1-Hp,C2-Hp,C3-Hp）と低圧室（C1-Lp,C2-Lp,C3-Lp）とに区画するブレード（25）とを備え、
上記シリンダ（21）とピストン（17）とは相対的に偏心回転運動をするように構成される一方、
上記ブレード（25）は、内側シリンダ室（C3）および外側シリンダ室（C1）の少なくとも何れか１室が１回転運動中において単一空間となるように上記ブレード（25）の長さ方向に進退自在に構成されている
ことを特徴とする回転式流体機械。
【請求項６】
請求項５において、
上記外ピストン部（23）および内側シリンダ部（21b）は、ブレード（25）が貫通可能に一部分が分断されたＣ型に形成され、
上記ブレード（25）は、内ピストン部（24）に形成されたブレード溝（26）に内ピストン部（24）の径方向に沿って進退自在に挿入される単体のブレード（25）で構成される一方、
上記ブレード（25）は、先端が外側シリンダ部（21a）の内周面に摺接して外側シリンダ室（C1）、中間シリンダ室（C2）および内側シリンダ室（C3）を高圧室（C1-Hp,C2-Hp,C3-Hp）と低圧室（C1-Lp,C2-Lp,C3-Lp）とに区画する第１状態と、先端が外ピストン部（23）の分断箇所内に位置して外側シリンダ室（C1）のみを単一空間とする第２状態と、先端が内側シリンダ部（21b）の分断箇所内に位置して外側シリンダ室（C1）および中間シリンダ室（C2）のみをそれぞれ単一空間とする第３状態とになるように進退する
ことを特徴とする回転式流体機械。
【請求項７】
請求項５において、
上記外ピストン部（23）および内側シリンダ部（21b）は、ブレード（25）が貫通可能に一部分が分断されたＣ型に形成され、
上記ブレード（25）は、外側シリンダ部（21a）に形成されたブレード溝（26）に外外側シリンダ部（21a）の径方向に沿って進退自在に挿入される単体のブレード（25）で構成される一方、
上記ブレード（25）は、先端が内ピストン部（24）の外周面に摺接して外側シリンダ室（C1）、中間シリンダ室（C2）および内側シリンダ室（C3）を高圧室（C1-Hp,C2-Hp,C3-Hp）と低圧室（C1-Lp,C2-Lp,C3-Lp）とに区画する第１状態と、先端が内側シリンダ部（21b）の分断箇所内に位置して内側シリンダ室（C3）のみを単一空間とする第２状態と、先端が外ピストン部（23）の分断箇所内に位置して内側シリンダ室（C3）および中間シリンダ室（C2）のみをそれぞれ単一空間とする第３状態とになるように進退する
ことを特徴とする回転式流体機械。
【請求項８】
請求項６または７において、
上記ブレード（25）は、先端がブレード溝（26）内に位置して外側シリンダ室（C1）、中間シリンダ室（C2）および内側シリンダ室（C3）をそれぞれ単一空間とする第４状態になるように進退する
ことを特徴とする回転式流体機械。
【請求項９】
請求項５において、
上記ブレード（25）は、外ピストン部（23）および内ピストン部（24）と一体に形成され、上記内側シリンダ部（21b）を貫通して上記中間シリンダ室（C2）および内側シリンダ室（C3）を高圧室（C2-Hp,C3-Hp）と低圧室（C2-Lp,C3-Lp）とに区画する内側ブレード部材（25a）と、上記外側シリンダ部（21a）に形成されたブレード溝（26）に外側シリンダ部（21a）の径方向に沿って進退自在に挿入され、外側シリンダ室（C1）を高圧室（C1-Hp）と低圧室（C1-Lp）とに区画する外側ブレード部材（25b）とで構成され、
上記外側ブレード部材（25b）は、先端が外ピストン部（23）の外周面に摺接して外側シリンダ室（C1）を高圧室（C1-Hp）と低圧室（C1-Lp）とに区画する第１状態と、先端が外ピストン部（23）の外周面と離隔して外側シリンダ室（C1）を単一空間とする第２状態とになるように進退する
ことを特徴とする回転式流体機械。
【請求項１０】
請求項５において、
上記ブレード（25）は、外ピストン部（23）および内ピストン部（24）と一体に形成され、上記外ピストン部（23）を貫通して上記外側シリンダ室（C1）および中間シリンダ室（C2）を高圧室（C1-Hp,C2-Hp）と低圧室（C1-Lp,C2-Lp）とに区画する外側ブレード部材（25b）と、上記内ピストン部（24）に形成されたブレード溝（26）に内ピストン部（24）の径方向に沿って進退自在に挿入され、内側シリンダ室（C3）を高圧室（C3-Hp）と低圧室（C3-Lp）とに区画する内側ブレード部材（25a）とで構成され、
上記内側ブレード部材（25a）は、先端が内側シリンダ部（25）の内周面に摺接して内側シリンダ室（C3）を高圧室（C3-Hp）と低圧室（C3-Lp）とに区画する第１状態と、先端が内側シリンダ部（25）の内周面と離隔して内側シリンダ室（C3）を単一空間とする第２状態とになるように進退する
ことを特徴とする回転式流体機械。
【発明の詳細な説明】
【技術分野】
【０００１】
本発明は、回転式流体機械に関し、特に、複数のシリンダ室を有する回転式流体機械の能力制御に係るものである。
【背景技術】
【０００２】
従来より、環状のシリンダ室の内部で環状ピストンが偏心回転運動をする偏心回転形ピストン機構を備えた回転式流体機械として、環状ピストンの偏心回転運動に伴うシリンダ室の容積変化によって冷媒を圧縮する圧縮機がある（例えば、特許文献１参照）。
【０００３】
図１９に示すように、上記圧縮機は、環状のシリンダ室（C1,C2）を有するシリンダ（121）と、該シリンダ室（C1,C2）に配置された環状ピストン（122）とを備えている。上記シリンダ（121）は、互いに同心上に配置された外側シリンダ（124）と内側シリンダ（125）とで構成されている。つまり、この外側シリンダ（124）と内側シリンダ（125）との間にシリンダ室（C1,C2）が形成され、該シリンダ室（C1,C2）が環状ピストン（122）によって外側シリンダ室（C1）と内側シリンダ室（C2）とに区画されている。上記環状ピストン（122）は、外周面が外側シリンダ（124）の内周面と実質的に１点で接し、内周面が内側シリンダ（125）の外周面と実質的に１点で接しながら、シリンダ（121）中心に対して偏心回転運動をするように構成されている。
【０００４】
上記環状ピストン（122）の外側には外側ブレード（123A）が配置され、内側には外側ブレード（123A）の延長線上に内側ブレード（123B）が配置されている。上記外側ブレード（123A）は、外側シリンダ（124）に挿入されて環状ピストン（122）の径方向内方に向かって付勢され、先端が環状ピストン（122）の外周面に圧接している。上記内側ブレード（123B）は、内側シリンダ（125）に挿入されて環状ピストン（122）の径方向外側に向かって付勢され、先端が環状ピストン（122）の内周面に圧接している。上記外側ブレード（123A）および内側ブレード（123B）は、外側シリンダ室（C1）および内側シリンダ室（C2）をそれぞれ高圧室と低圧室とに区画している。そして、上記圧縮機は、環状ピストン（122）の偏心回転運動に伴って、各シリンダ室（C1,C2）の低圧室で流体の吸入が行われ、高圧室で流体の圧縮が行われる。
【特許文献１】特開平６−２８８３５８号公報
【発明の開示】
【発明が解決しようとする課題】
【０００５】
しかしながら、上述した特許文献１の圧縮機では、各シリンダ室（C1,C2）の容積が一定であるため、電動機の運転周波数を変更して容量制御する以外に容量制御を行うことができないという問題があった。つまり、運転周波数の調節だけでは、特に容量を大幅に変更することができなかった。
【０００６】
本発明は、斯かる点に鑑みてなされたものであり、その目的とするところは、少なくとも環状のシリンダ室に偏心回転運動をする環状ピストンが配置されて複数のシリンダ室が形成される回転式流体機械において、少なくともシリンダ室の１室を休止させることによって容量制御を行うことである。
【課題を解決するための手段】
【０００７】
第１の発明は、環状のシリンダ室（C1,C2）を有するシリンダ（21）と、該シリンダ（21）に対して偏心してシリンダ室（C1,C2）に収納され、該シリンダ室（C1,C2）を外側シリンダ室（C1）と内側シリンダ室（C2）とに区画する環状ピストン（23）と、少なくとも上記環状ピストン（23）を貫通し、外側シリンダ室（C1）および内側シリンダ室（C2）を高圧室（C1-Hp,C2-Hp）と低圧室（C1-Lp,C2-Lp）とに区画するブレード（25）とを備え、上記シリンダ（21）と環状ピストン（23）とは相対的に偏心回転運動をするように構成されている。一方、上記ブレード（25）は、上記外側シリンダ室（C1）および内側シリンダ室（C2）の少なくとも何れか１室が１回転運動中において単一空間となるように上記ブレード（25）の長手方向に進退自在に構成されている。
【０００８】
上記の発明では、例えば、外側シリンダ室（C1）および内側シリンダ室（C2）がブレード（25）によってそれぞれ高圧室（C1-Hp,C2-Hp）と低圧室（C1-Lp,C2-Lp）とに区画されている場合、シリンダ（21）と環状ピストン（23）とが相対的に偏心回転運動をすると、各シリンダ室（C1,C2）において流体が低圧室（C1-Lp,C2-Lp）に吸入され、高圧室（C1-Hp,C2-Hp）で流体が圧縮される。
【０００９】
ここで、例えば、外側シリンダ室（C1）を単一空間とするようにブレード（25）が進退すると、外側シリンダ室（C1）が高圧室（C1-Hp）と低圧室（C1-Lp）とに区画されないため、その外側シリンダ室（C1）で流体の圧縮が行われない。したがって、上記内側シリンダ室（C2）のみで流体の圧縮が行われ、圧縮能力が低下する。これは、内側シリンダ室（C2）を単一空間とした場合も同様である。
【００１０】
また、第２の発明は、上記第１の発明において、上記環状ピストン（23）は、ブレード（25）が貫通可能に一部分が分断されたＣ型に形成され、上記ブレード（25）がシリンダ室（C1,C2）の内周側の壁内に形成されたブレード溝（26）にシリンダ（21）の径方向に沿って進退自在に挿入されている。一方、上記ブレード（25）は、先端がシリンダ室（C1,C2）の外周側の壁面に摺接して外側シリンダ室（C1）および内側シリンダ室（C2）をそれぞれ高圧室（C1-Hp,C2-Hp）と低圧室（C1-Lp,C2-Lp）とに区画する第１状態と、先端が環状ピストン（23）の分断箇所内に位置して外側シリンダ室（C1）のみを単一空間とする第２状態とになるように進退する。
【００１１】
上記の発明では、例えば、ブレード（25）が第１状態の場合、シリンダ（21）と環状ピストン（23）とが相対的に偏心回転運動をすると、各シリンダ室（C1,C2）で流体の圧縮が行われる。つまり、１回転運動中において、常にブレード（25）の先端がシリンダ室（C1,C2）の内周側から環状ピストン（23）の分断箇所を貫通してシリンダ室（C1,C2）の外周側の壁面に接した状態となる。
【００１２】
上記ブレード（25）が第２状態の場合、外側シリンダ室（C1）が単一空間となり、内側シリンダ室（C2）のみが低圧室（C2-Lp）と高圧室（C2-Hp）とに区画される。したがって、内側シリンダ室（C2）のみにて流体の圧縮が行われる。これにより、第２状態は、第１状態より能力が低くなる。このように、１つのブレード（25）をシリンダ室（C1,C2）の内周側より進退させるだけで、外側シリンダ室（C1）が単一空間となり、容量制御が行われる。
【００１３】
また、第３の発明は、上記第１の発明において、上記環状ピストン（23）は、ブレード（25）が貫通可能に一部分が分断されたＣ型に形成され、上記ブレード（25）がシリンダ室（C1,C2）の外周側の壁内に形成されたブレード溝（26）にシリンダ（21）の径方向に沿って進退自在に挿入されている。一方、上記ブレード（25）は、先端がシリンダ室（C1,C2）の内周側の壁面に摺接して外側シリンダ室（C1）および内側シリンダ室（C2）を高圧室（C1-Hp,C2-Hp）と低圧室（C1-Lp,C2-Lp）とに区画する第１状態と、先端が環状ピストン（23）の分断箇所内に位置して内側シリンダ室（C2）のみを単一空間とする第２状態とになるように進退する。
【００１４】
上記の発明では、例えば、ブレード（25）が第１状態の場合、シリンダ（21）と環状ピストン（23）とが相対的に偏心回転運動をすると、各シリンダ室（C1,C2）で流体の圧縮が行われる。つまり、１回転運動中において、常にブレード（25）の先端がシリンダ室（C1,C2）の外周側から環状ピストン（23）の分断箇所を貫通してシリンダ室（C1,C2）の内周側の壁面に接した状態となる。
【００１５】
上記ブレード（25）が第２状態の場合、内側シリンダ室（C2）が単一空間となり、外側シリンダ室（C1）のみが低圧室（C1-Lp）と高圧室（C1-Hp）とに区画される。したがって、内側シリンダ室（C2）のみにて流体の圧縮が行われる。これにより、第２状態は、第１状態より能力が低くなる。このように、１つのブレード（25）をシリンダ室（C1,C2）の外周側より進退させるだけで、内側シリンダ室（C2）が単一空間となり、容量制御が行われる。
【００１６】
また、第４の発明は、上記第２または第３の発明において、上記ブレード（25）は、先端がブレード溝（26）内に位置して外側シリンダ室（C1）および内側シリンダ室（C2）をそれぞれ単一空間とする第３状態になるように進退する。
【００１７】
上記の発明では、外側シリンダ室（C1）および内側シリンダ室（C2）がそれぞれ単一空間となるので、全く流体の圧縮が行われないことになる。したがって、第３状態は、駆動停止させなくても、圧縮容量がゼロの状態となる。
【００１８】
また、第５の発明は、内側シリンダ室（C3）および外側の環状シリンダ室（C1,C2）を形成する内側シリンダ部（21b）と外側シリンダ部（21a）とを有するシリンダ（21）と、上記内側シリンダ室（C3）に収納される内ピストン部（24）および環状シリンダ室（C1,C2）に収納されて該環状シリンダ室（C1,C2）を外側シリンダ室（C1）と中間シリンダ室（C2）とに区画する外ピストン部（23）を有し、上記内ピストン部（24）および外ピストン部（23）が一体となって上記シリンダ（21）に対して偏心しているピストン（17）と、上記内側シリンダ室（C3）、中間シリンダ室（C2）および外側シリンダ室（C1）を高圧室（C1-Hp,C2-Hp,C3-Hp）と低圧室（C1-Lp,C2-Lp,C3-Lp）とに区画するブレード（25）とを備え、上記シリンダ（21）とピストン（17）とは相対的に偏心回転運動をするように構成されている。一方、上記ブレード（25）は、内側シリンダ室（C3）および外側シリンダ室（C1）の少なくとも何れか１室が１回転運動中において単一空間となるように上記ブレード（25）の長さ方向に進退自在に構成されている。
【００１９】
上記の発明では、例えば、外側シリンダ室（C1）、中間シリンダ室（C2）および内側シリンダ室（C3）がブレード（25）によってそれぞれ高圧室（C1-Hp,C2-Hp,C3-Hp）と低圧室（C1-Lp,C2-Lp,C3-Lp）とに区画された場合、シリンダ（21）とピストン（17）とが相対的に偏心回転運動をすると、各シリンダ室（C1,C2,C3）において流体が低圧室（C1-Lp,C2-Lp,C3-Lp）に吸入され、高圧室（C1-Hp,C2-Hp,C3-Hp）で流体が圧縮される。
【００２０】
ここで、例えば、外側シリンダ室（C1）が単一空間となるようにブレード（25）が進退すると、外側シリンダ室（C1）が高圧室（C1-Hp）と低圧室（C1-Lp）とに区画されないため、その外側シリンダ室（C1）で流体の圧縮が行われない。したがって、上記中間シリンダ室（C2）および内側シリンダ室（C3）のみで流体の圧縮が行われ、圧縮容量が低下する。また、上記外側シリンダ室（C1）に加えて中間シリンダ室（C2）を単一空間とした場合、さらに圧縮容量が低下する。これは、内側シリンダ室（C3）のみ、または内側シリンダ室（C3）に加えて中間シリンダ室（C2）を単一空間とした場合も同様である。このように、各シリンダ室（C1,C2）を単一空間とすることで、容量制御が可能となる。
【００２１】
また、第６の発明は、上記第５の発明において、上記外ピストン部（23）および内側シリンダ部（21b）は、ブレード（25）が貫通可能に一部分が分断されたＣ型に形成されている。そして、上記ブレード（25）は、内ピストン部（24）に形成されたブレード溝（26）に内ピストン部（24）の径方向に沿って進退自在に挿入される単体のブレード（25）で構成されている。一方、上記ブレード（25）は、先端が外側シリンダ部（21a）の内周面に摺接して外側シリンダ室（C1）、中間シリンダ室（C2）および内側シリンダ室（C3）を高圧室（C1-Hp,C2-Hp,C3-Hp）と低圧室（C1-Lp,C2-Lp,C3-Lp）とに区画する第１状態と、先端が外ピストン部（23）の分断箇所内に位置して外側シリンダ室（C1）のみを単一空間とする第２状態と、先端が内側シリンダ部（21b）の分断箇所内に位置して外側シリンダ室（C1）および中間シリンダ室（C2）のみをそれぞれ単一空間とする第３状態とになるように進退する。
【００２２】
上記の発明では、例えば、ブレード（25）が第１状態の場合、シリンダ（21）とピストン（17）とが相対的に偏心回転運動をすると、各シリンダ室（C1,C2,C3）で流体の圧縮が行われる。つまり、１回転運動中において、ブレード（25）の先端が内ピストン部（24）から内側シリンダ部（21b）および外ピストン部（23）の分断箇所を順に貫通して外側シリンダ部（21a）の内周面に接した状態となる。
【００２３】
上記ブレード（25）が第２状態の場合、中間シリンダ室（C2）および内側シリンダ室（C3）のみが低圧室（C2-Lp,C3-Lp）と高圧室（C2-Hp,C3-Hp）とに区画され、流体の圧縮が行われる。これにより、第２状態は、第１状態より能力が低くなる。上記ブレード（25）が第３状態の場合、内側シリンダ室（C3）のみが低圧室（C3-Lp）と高圧室（C3-Hp）とに区画され、流体の圧縮が行われる。これにより、第３状態は、第２状態より能力が低くなる。このように、１つのブレード（25）を内ピストン部（24）より進退させるだけで、確実に外側シリンダ室（C1）や中間シリンダ室（C2）が単一空間となり、容量制御が行われる。
【００２４】
また、第７の発明は、上記第５の発明において、上記外ピストン部（23）および内側シリンダ部（21b）は、ブレード（25）が貫通可能に一部分が分断されたＣ型に形成されている。そして、上記ブレード（25）は、外側シリンダ部（21a）に形成されたブレード溝（26）に外外側シリンダ部（21a）の径方向に沿って進退自在に挿入される単体のブレード（25）で構成されている。一方、上記ブレード（25）は、先端が内ピストン部（24）の外周面に摺接して外側シリンダ室（C1）、中間シリンダ室（C2）および内側シリンダ室（C3）を高圧室（C1-Hp,C2-Hp,C3-Hp）と低圧室（C1-Lp,C2-Lp,C3-Lp）とに区画する第１状態と、先端が内側シリンダ部（21b）の分断箇所内に位置して内側シリンダ室（C3）のみを単一空間とする第２状態と、先端が外ピストン部（23）の分断箇所内に位置して内側シリンダ室（C3）および中間シリンダ室（C2）のみをそれぞれ単一空間とする第３状態とになるように進退する。
【００２５】
上記の発明では、例えば、ブレード（25）が第１状態の場合、シリンダ（21）とピストン（17）とが相対的に偏心回転運動をすると、各シリンダ室（C1,C2,C3）で流体の圧縮が行われる。つまり、１回転運動中において、ブレード（25）の先端が外側シリンダ部（21a）から外ピストン部（23）および内側シリンダ部（21b）の分断箇所を順に貫通して内ピストン部（24）の外周面に接した状態となる。
【００２６】
上記ブレード（25）が第２状態の場合、外側シリンダ室（C1）および中間シリンダ室（C2）のみが低圧室（C1-Lp,C2-Lp）と高圧室（C1-Hp,C2-Hp）とに区画され、流体の圧縮が行われる。これにより、第２状態は、第１状態より能力が低くなる。上記ブレード（25）が第３状態の場合、外側シリンダ室（C1）のみが低圧室（C1-Lp）と高圧室（C1-Hp）とに区画され、流体の圧縮が行われる。これにより、第３状態は、第２状態より能力が低くなる。このように、１つのブレード（25）を外側シリンダ部（21a）より進退させるだけで、確実に内側シリンダ室（C3）や中間シリンダ室（C2）が単一空間となり、容量制御が行われる。
【００２７】
また、第８の発明は、上記第６または第７の発明において、上記ブレード（25）は、先端がブレード溝（26）内に位置して外側シリンダ室（C1）、中間シリンダ室（C2）および内側シリンダ室（C3）をそれぞれ単一空間とする第４状態になるように進退する。
【００２８】
上記の発明では、外側シリンダ室（C1）、中間シリンダ室（C2）および内側シリンダ室（C3）がそれぞれ単一空間となるので、全く流体の圧縮が行われないことになる。したがって、第３状態は、駆動停止させなくても、圧縮容量がゼロの状態となる。
【００２９】
また、第９の発明は、上記第５の発明において、上記ブレード（25）が、外ピストン部（23）および内ピストン部（24）と一体に形成され、上記内側シリンダ部（21b）を貫通して上記中間シリンダ室（C2）および内側シリンダ室（C3）を高圧室（C2-Hp,C3-Hp）と低圧室（C2-Lp,C3-Lp）とに区画する内側ブレード部材（25a）と、上記外側シリンダ部（21a）に形成されたブレード溝（26）に外側シリンダ部（21a）の径方向に沿って進退自在に挿入され、外側シリンダ室（C1）を高圧室（C1-Hp）と低圧室（C1-Lp）とに区画する外側ブレード部材（25b）とで構成されている。そして、上記外側ブレード部材（25b）は、先端が外ピストン部（23）の外周面に摺接して外側シリンダ室（C1）を高圧室（C1-Hp）と低圧室（C1-Lp）とに区画する第１状態と、先端が外ピストン部（23）の外周面と離隔して外側シリンダ室（C1）を単一空間とする第２状態とになるように進退する。
【００３０】
上記の発明では、第１状態の場合、外側シリンダ室（C1）、中間シリンダ室（C2）および内側シリンダ室（C3）の全てにおいて流体の圧縮が行われる。第２状態の場合、中間シリンダ室（C2）および内側シリンダ室（C3）のみで流体の圧縮が行われる。これにより、第２状態は、第１状態より能力が低くなる。
【００３１】
また、第１０の発明は、上記第５の発明において、上記ブレード（25）が、外ピストン部（23）および内ピストン部（24）と一体に形成され、上記外ピストン部（23）を貫通して上記外側シリンダ室（C1）および中間シリンダ室（C2）を高圧室（C1-Hp,C2-Hp）と低圧室（C1-Lp,C2-Lp）とに区画する外側ブレード部材（25b）と、上記内ピストン部（24）に形成されたブレード溝（26）に内ピストン部（24）の径方向に沿って進退自在に挿入され、内側シリンダ室（C3）を高圧室（C3-Hp）と低圧室（C3-Lp）とに区画する内側ブレード部材（25a）とで構成されている。そして、上記内側ブレード部材（25a）は、先端が内側シリンダ部（25）の内周面に摺接して内側シリンダ室（C3）を高圧室（C3-Hp）と低圧室（C3-Lp）とに区画する第１状態と、先端が内側シリンダ部（25）の内周面と離隔して内側シリンダ室（C3）を単一空間とする第２状態とになるように進退する。
【００３２】
上記の発明では、第１状態の場合、外側シリンダ室（C1）、中間シリンダ室（C2）および内側シリンダ室（C3）の全てにおいて流体の圧縮が行われる。第２状態の場合、外側シリンダ室（C1）および中間シリンダ室（C2）のみで流体の圧縮が行われる。これにより、第２状態は、第１状態より能力が低くなる。
【発明の効果】
【００３３】
したがって、第１の発明によれば、シリンダ（21）の径方向に形成された２つのシリンダ室（C1,C2）に対して、少なくとも１室が単一空間となるようにブレード（25）を環状ピストン（23）を貫通させて進退させるようにしたので、容量制御が可能となる。
【００３４】
また、第５の発明によれば、シリンダ（21）の径方向に形成された３つのシリンダ室（C1,C2,C3）に対して、少なくとも１室が単一空間となるようにブレード（25）を外ピストン部（23）および内側シリンダ部（21b）を貫通させて進退させるようにしたので、容量制御が可能となる。
【００３５】
また、第２または第６の発明によれば、ブレード（25）をシリンダ室（C1,C2）の内周側から進退させ、また第３または第７の発明によれば、ブレード（25）をシリンダ室（C1,C2）の外周側から進退させるようにしたので、確実に径方向に形成されたシリンダ室（C1,C2）を低圧室（C1-Lp,・・・）と高圧室（C1-Hp,・・・）とに区画したり単一空間とすることができる。
【００３６】
また、第４または第８の発明によれば、全てのシリンダ室（C1,・・・）を単一空間とすることができるため、機器の駆動停止させなくても圧縮容量をゼロとすることができる。したがって、例えば、機器の発停を頻繁に繰り返す場合、起動電流による電気的コストを抑制することができる。
【発明を実施するための最良の形態】
【００３７】
以下、本発明の実施形態を図面に基づいて詳細に説明する。
【００３８】
《発明の実施形態１》
本実施形態１は、回転式圧縮機に関するものである。図１に示すように、この圧縮機（1）は、ケーシング（10）内に、圧縮機構（20）と駆動機構である電動機（30）とが収納され、全密閉型に構成されている。上記圧縮機（1）は、例えば、空気調和装置の冷媒回路において、蒸発器から吸入した冷媒を圧縮して凝縮器へ吐出するために用いられる。
【００３９】
上記ケーシング（10）は、円筒状の胴部（11）と、該胴部（11）の上端部および下端部にそれぞれ固定された上部鏡板（12）および下部鏡板（13）とから構成されている。上記上部鏡板（12）には、吸入管（14）が貫通して設けられ、上記胴部（11）には、吐出管（15）が貫通して設けられている。
【００４０】
上記圧縮機構（20）は、ハウジング（16）と偏心回転部（17）とを備え、偏心回転形ピストン機構を構成している。上記ハウジング（16）は、ケーシング（10）の胴部（11）に固定され、シリンダ（21）を有している。上記偏心回転部（17）は、シリンダ（21）内に配置されるピストン（23,24）を備え、シリンダ（21）に対して偏心回転運動をするように構成されている。つまり、本実施形態では、シリンダ（21）が固定側で、ピストン（23,24）が可動側である。この圧縮機構（20）については、詳細に後述する。
【００４１】
上記電動機（30）は、ステータ（31）とロータ（32）とを備えている。上記ステータ（31）は、圧縮機構（20）の下方に配置され、ケーシング（10）の胴部（11）に固定されている。上記ロータ（32）には、該ロータ（32）と共に回転する駆動軸（33）が連結されている。この駆動軸（33）は、上下方向に延びて、上端部に形成された偏心部（33a）が偏心回転部（17）に接続されている。上記偏心部（33a）は、他の部分よりも大径に形成され、駆動軸（33）の軸心から所定量だけ偏心している。
【００４２】
上記駆動軸（33）の内部には、軸方向にのびる給油路（図示省略）が設けられている。また、上記駆動軸（33）の下端部には、給油ポンプ（34）が設けられている。この給油ポンプ（34）は、ケーシング（10）内の底部に貯まる潤滑油を汲み上げ、駆動軸（33）の給油路を通じて圧縮機構（20）の摺動部へ供給するように構成されている。
【００４３】
上記シリンダ（21）は、ハウジング（16）と一体に形成され、外側シリンダ部（21a）および内側シリンダ部（21b）を備えている。上記外側シリンダ部（21a）および内側シリンダ部（21b）は、互いに同軸の円環状に形成されている。そして、上記外側シリンダ部（21a）の内周面と内側シリンダ部（21b）の外周面との間には、環状のシリンダ室（C1,C2）が形成され、内側シリンダ部（21b）内には、円形のシリンダ室が形成されている。
【００４４】
上記偏心回転部（17）は、鏡板（22）と、該鏡板（22）の上面に一体に立設された外ピストンとしての環状ピストン（23）と、内ピストンとしての円柱状ピストン（24）とを備えている。上記環状ピストン（23）は、内径が円柱状ピストン（24）の外径より大径に形成され、該円柱状ピストン（24）と同軸に形成されている。そして、上記偏心回転部（17）は、環状ピストン（23）が環状のシリンダ室（C1,C2）内に配置されて該シリンダ室（C1,C2）を外側シリンダ室（C1）と中間シリンダ室（C2）とに区画すると共に、円柱状ピストン（24）が内側シリンダ部（21b）内に配置されて内側シリンダ室（C3）を形成するように構成されている。
【００４５】
つまり、上記外側シリンダ室（C1）は第１シリンダ室として外側シリンダ部（21a）の内周面と環状ピストン（23）の外周面との間に形成され、上記中間シリンダ室（C2）は第２シリンダ室として環状ピストン（23）の内周面と内側シリンダ部（21b）の外周面との間に形成され、上記内側シリンダ室（C3）は第３シリンダ室として内側シリンダ部（21b）の内周面と円柱状ピストン（24）の外周面との間に形成されいてる。このように、本実施形態の圧縮機構（20）は、３つのシリンダ室（C1,C2,C3）がシリンダ（21）の径方向に形成されている。
【００４６】
上記環状ピストン（23）は、外周面が外側シリンダ部（21a）の内周面と実質的に１点で接すると共に、その接点と位相が１８０°異なる位置で内周面が内側シリンダ部（21b）の外周面と実質的に１点で接するように形成されている。上記円柱状ピストン（24）は、環状ピストン（23）と外側シリンダ部（21a）との接点と同位相の位置で、外周面が内側シリンダ部（21b）の内周面と実質的に１点で接するように形成されている。
【００４７】
上記偏心回転部（17）は、鏡板（22）の下面に駆動軸（33）の嵌合部（22a）が一体に形成されている。この嵌合部（22a）は、環状ピストン（23）や円柱状ピストン（24）と同軸の円筒状に形成されている。この嵌合部（22a）は、駆動軸（33）の偏心部（33a）が回転自在に嵌め込まれて連結されている。
【００４８】
図２に示すように、上記円柱状ピストン（24）には、該円柱状ピストン（24）の径方向に沿ってブレード溝（26）が形成されている。このブレード溝（26）には、長方形板状のブレード（25）が円柱状ピストン（24）の径方向に沿って進退且つ摺動可能に挿入されている。上記ブレード溝（26）のブレード背部室（28）内には、ブレード（25）を径方向外方へ付勢するスプリング（27）が設けられている。そして、上記ブレード（25）は、各シリンダ室（C1,C2,C3）を第１室として圧縮室である高圧室（C1-Hp,C2-Hp,C3-Hp）と第２室として吸入室である低圧室（C1-Lp,C2-Lp,C3-Lp）とに区画可能に構成されている。
【００４９】
上記内側シリンダ部（21b）は、環状の一部分が分断されてＣ型に形成されている。この内側シリンダ部（21b）の分断部分には、ブレード（25）が挿通する揺動ブッシュ（29）が設けられている。この揺動ブッシュ（29）は、吐出側ブッシュ（29a）と吸入側ブッシュ（29b）とにより構成されている。上記吐出側ブッシュ（29a）および吸入側ブッシュ（29b）は、ブレード（25）に対して、それぞれ高圧室（C1-Hp,C2-Hp）側および低圧室（C1-Lp,C2-Lp）側に位置している。
【００５０】
上記吐出側ブッシュ（29a）および吸入側ブッシュ（29b）は、何れも断面形状が略半円形に形成され、平面同士が対向するように配置されている。つまり、上記ブレード（25）は、揺動ブッシュ（29）の対向面の間を摺接しながら挿通する。また、上記揺動ブッシュ（29）は、内側シリンダ部（21b）に対してブレード（25）と一体的に揺動するように構成されている。なお、上記両ブッシュ（29a,29b）は、別体ではなく、一部で連結される一体構造に形成してもよい。
【００５１】
上記環状ピストン（23）は、環状の一部分が分断されてＣ型に形成されている。この環状ピストン（23）の分断箇所は、ブレード（25）が摺接しながら挿通するためのブレード挿通部（23a）を構成している。
【００５２】
上記圧縮機構（20）では、駆動軸（33）の回転に伴い、環状ピストン（23）と外側シリンダ部（21a）および内側シリンダ部（21b）との各接点と、円柱状ピストン（24）と内側シリンダ部（21b）との接点とが、例えば図４における（Ａ）図から（Ｄ）図へ移動する。つまり、上記圧縮機構（20）は、駆動軸（33）の回転により、環状ピストン（23）および円柱状ピストン（24）が自転することなく、駆動軸（33）の周りを公転運動するように構成されている。
【００５３】
また、上記圧縮機構（20）は、本発明の特徴として、ブレード（25）によって高圧室（C1-Hp,・・・）と低圧室（C1-Lp,・・・）とに区画されるシリンダ室（C1,C2,C3）の数量が可変となるように構成されている。つまり、上記ブレード（25）は、３つの全てのシリンダ室（C1,C2,C3）を区画する第１状態と、中間シリンダ室（C2）および内側シリンダ室（C3）のみを区画する第２状態と、内側シリンダ室（C3）のみを区画する第３状態と、全てのシリンダ室（C1,C2,C3）を区画しない第４状態（全休止状態）とに切り換わるように可動する。
【００５４】
つまり、上記ブレード（25）は、第１状態の場合、先端が常に外側シリンダ部（21a）の内周面に摺接し、第２状態の場合、先端が環状ピストン（23）のブレード挿通部（23a）内に位置して外側シリンダ室（C1）のみを単一空間とし、第３状態の場合、先端が内側シリンダ部（21b）の揺動ブッシュ（29）内に位置して外側シリンダ室（C1）および中間シリンダ室（C2）のみをそれぞれ単一空間とし、全休止状態の場合、先端がブレード溝（26）内に位置して外側シリンダ室（C1）、中間シリンダ室（C2）および内側シリンダ室（C3）をそれぞれ単一空間とするように進退自在に構成されている。
【００５５】
図３に示すように、上記ブレード（25）の内部には、可動用作動室（51）が設けられている。この可動用作動室（51）は、ブレード（25）の厚さ方向（図３における上下方向）における中央に位置し、断面がブレード（25）の幅方向（図３における左右方向）に延びる長穴形状に形成されている。そして、この可動用作動室（51）は、ブレード（25）の長さ方向（図３における紙面方向）に沿って延びている。上記可動用作動室（51）内には、円柱状ピストン（24）の一部である仕切りピン（54）が設けられている。この仕切りピン（54）は、ブレード（25）の長さ方向に延びる円柱状に形成され、可動用作動室（51）を先端側室（52）と後端側室（53）とに区画するように構成されている。
【００５６】
上記円柱状ピストン（24）の内部には、ブレード溝（26）に開口する固定用作動室（56）が設けられている。この固定用作動室（56）には、固定用ピストン（57）とスプリング（58）が設けられている。
【００５７】
上記固定用ピストン（57）は、矩形体に形成され、固定用作動室（56）内を進退且つ摺動可能に挿入されている。上記スプリング（58）は、固定用作動室（56）の背部室（59）に設けられ、固定用ピストン（57）を背部室（59）側に引っ張っている。
【００５８】
上記ブレード（25）の一側面には、３つの固定穴（55a,55b,55c）が形成されている。この固定穴（55a,55b,55c）は、ブレード（25）の幅方向に互いに所定間隔を存して並んでおり、ブレード（25）の先端側から順に第１固定穴（55a）、第２固定穴（55b）および第３固定穴（55c）として形成されている。上記各固定穴（55a,55b,55c）は、固定用作動室（56）の固定用ピストン（57）が嵌合可能な形状および大きさに形成され、該固定用ピストン（57）の嵌合によってブレード（25）を円柱状ピストン（24）および環状ピストン（23）に対して固定するようにしている。
【００５９】
上記第１固定穴（55a）は、固定用ピストン（57）が嵌合した状態で、ブレード（25）が全休止状態となる位置に形成されている。つまり、この状態では、ブレード（25）全体がブレード溝（26）内に収納され、全てのシリンダ室（C1,C2,C3）がブレード（25）によって区画されないことになる。
【００６０】
上記第２固定穴（55b）は、固定用ピストン（57）が嵌合した状態で、ブレード（25）が第３状態となる位置に形成されている。つまり、この状態では、内側シリンダ室（C3）のみで冷媒の圧縮が行われる。なお、この第３状態では、ブレード（25）の先端が常に揺動ブッシュ（29）中心より外側に位置するようにしている。これにより、揺動ブッシュ（29）の平面部において、片側に荷重が集中作用するのを防止できるので、揺動ブッシュ（29）の挙動を安定させることができる。
【００６１】
上記第３固定穴（55c）は、固定用ピストン（57）が嵌合した状態で、ブレード（25）が第２状態となる位置に形成されている。つまり、この状態では、中間シリンダ室（C2）および内側シリンダ室（C3）のみで冷媒の圧縮が行われる。
【００６２】
また、上記圧縮機構（20）は、各固定穴（55a,55b,55c）の何れにも固定用ピストン（57）が嵌合しない状態では、ブレード（25）がブレード溝（26）に対して自由に進退可能となり、第１状態となる。つまり、この状態では、全てのシリンダ室（C1,C2,C3）で冷媒の圧縮が行われる。
【００６３】
上記ブレード溝（26）のブレード背部室（28）は、圧力Ｐ１が作用する高圧状態と作用しない低圧状態とに切換可能に構成されている。つまり、上記ブレード背部室（28）が高圧状態に切り換わると、スプリング（27）と高圧とによってブレード（25）が径方向外方へ付勢される。
【００６４】
上記ブレード（25）の可動用作動室（51）は、圧力Ｐ２が先端側室（52）に作用する第１状態と、圧力Ｐ２が後端側室（53）に作用する第２状態と、圧力Ｐ２が先端側室（52）および後端側室（53）の何れにも作用しない第３状態とに切換可能に構成されている。つまり、上記可動用作動室（51）は、第１状態または第２状態に切り換わると、先端側室（52）と後端側室（53）との間に生じる圧力差により、ブレード（25）が径方向外方または径方向内方へ摺動するように構成されている。
【００６５】
上記固定用作動室（56）の背部室（59）は、圧力Ｐ３が作用する高圧状態と作用しない低圧状態とに切換可能に構成されいている。つまり、上記背部室（59）は、高圧状態に切り換わると、固定用ピストン（57）が圧力Ｐ３によってブレード溝（26）へ摺動し、低圧状態に切り換わると、固定用ピストン（57）がスプリング（58）の引張り力によって固定用作動室（56）内に収納される。なお、上記圧力Ｐ１〜圧力Ｐ３は、例えば、後述するケーシング（10）内における高圧空間（S2）の高圧が利用されてもよいし、外部の冷媒配管における高圧部の圧力が利用されてもよい。
【００６６】
上記圧縮機構（20）は、第１状態の場合、ブレード（25）が固定用ピストン（57）によって固定されずに（図３（Ａ）参照）、ブレード（25）の先端が常に外側シリンダ部（21a）の内周面に接触するようにブレード（25）がブレード溝（26）に対して進退する（図４参照）。この状態では、３つのシリンダ室（C1,C2,C3）のそれぞれにおいて冷媒の圧縮が行われる。
【００６７】
また、上記第２状態の場合、圧縮機構（20）は、ブレード（25）の第３固定穴（55c）に固定用ピストン（57）が嵌合することにより（図３（Ｂ）参照）、ブレード（25）がブレード溝（26）に対して進退することなく固定される（図５参照）。この第２状態では、外側シリンダ室（C1）が休止し、中間シリンダ室（C2）および内側シリンダ室（C3）のそれぞれにおいて冷媒の圧縮が行われる。
【００６８】
また、上記第３状態の場合、圧縮機構（20）は、ブレード（25）の第２固定穴（55b）に固定用ピストン（57）が嵌合することにより、ブレード（25）がブレード溝（26）に対して進退することなく固定される（図６参照）。この第３状態では、外側シリンダ室（C1）および中間シリンダ室（C2）が休止し、内側シリンダ室（C3）において冷媒の圧縮が行われる。
【００６９】
また、上記全休止状態の場合、圧縮機構（20）は、ブレード（25）の第１固定穴（55a）に固定用ピストン（57）が嵌合することにより、ブレード（25）がブレード溝（26）に対して進退することなく固定される（図７参照）。この全休止状態では、全てのシリンダ室（C1,C2,C3）が休止し、冷媒の圧縮が全く行われない。
【００７０】
このように、全休止状態は容量がゼロの状態であり、次いで容量が低い順に、第３状態、第２状態、第１状態となる。
【００７１】
上部ハウジング（16）には、吸入管（14）の下方に長穴状の吸入口（41）が形成されている。この吸入口（41）は、ハウジング（16）をその軸方向に貫通し、各シリンダ室（C1,C2,C3）の低圧室（C1-Lp,C2-Lp,C3-Lp）とハウジング（16）の上方空間（低圧空間（S1））とを連通させている。また、上記環状ピストン（23）には、外側シリンダ室（C1）の低圧室（C1-Lp）と中間シリンダ室（C2）の低圧室（C2-Lp）とが連通する貫通孔（43）が形成されている。上記内側シリンダ部（21b）には、中間シリンダ室（C2）の低圧室（C2-Lp）と内側シリンダ室（C3）の低圧室（C3-Lp）とが連通する貫通孔（44）が形成されている。
【００７２】
なお、上記環状ピストン（23）と内側シリンダ部（21b）は、上記吸入口（41）に対応した箇所の上端部を図１に破線で示すように面取りし、くさび形状にするとよい。こうすると、低圧室（C2-Lp,C3-Lp）への冷媒の吸入を効率よく行うことができる。
【００７３】
上記ハウジング（16）には、３つの吐出口（45）が形成されている。この各吐出口（45）は、ハウジング（16）をその軸方向に貫通している。この各吐出口（45）の下端は、それぞれ各シリンダ室（C1,C2,C3）の高圧室（C1-Hp,C2-Hp,C3-Hp）に臨むように開口している。一方、この各吐出口（45）の上端は、該吐出口（45）を開閉するリード弁である吐出弁（46）を介して吐出空間（47）に連通している。
【００７４】
この吐出空間（47）は、ハウジング（16）とカバープレート（18）との間に形成されている。そして、上記外側シリンダ部（21a）には、吐出空間（47）からハウジング（16）の下方空間（高圧空間（S2））に連通する吐出通路（47a）が形成されている。
【００７５】
−運転動作−
次に、この圧縮機（1）の運転動作について説明する。なお、ここでは、第１状態、第２状態、第３状態および全休止状態へと順に切り換える動作並びに各状態における圧縮動作について、図４〜図７を参照しながら説明する。
【００７６】
上記第１状態の場合、ブレード背部室（28）が高圧状態に、可動用作動室（51）が第３状態に、固定用作動室（56）の背部室（59）が低圧状態にそれぞれ切り換えられる。  上記の状態において、電動機（30）を起動すると、ロータ（32）の回転が駆動軸（33）を介して偏心回転部（17）に伝達される。これにより、図４に示すように、環状ピストン（23）および円柱状ピストン（24）が外側シリンダ部（21a）および内側シリンダ部（21b）に対して揺動しながら公転し、所定の圧縮動作が行われる。その際、上記ブレード（25）は、先端が常に外側シリンダ部（21a）の内周面に接触するようにブレード溝（26）に対して進退動作を行うと共に、揺動ブッシュ（29）と一体となって内側シリンダ部（21b）に対して揺動動作を行う。
【００７７】
具体的に、上記外側シリンダ室（C1）および内側シリンダ室（C3）では、図４（Ｂ）の状態で各低圧室（C1-Lp,C3-Lp）の容積がほぼ最小であり、ここから駆動軸（33）が図の右回りに回転して図４（Ｃ）、図４（Ｄ）、図４（Ａ）の状態へ変化するに従って該低圧室（C1-Lp,C3-Lp）の容積が増大し、それに伴って、冷媒が吸入管（14）および吸入口（41）を通って該各低圧室（C1-Lp,C3-Lp）に吸入される。ここで、内側シリンダ室（C3）の低圧室（C3-Lp）には、吸入口（41）からだけでなく、外側シリンダ室（C1）の低圧室（C1-Lp）から貫通孔（43）、中間シリンダ室（C2）の低圧室（C2-Lp）および貫通孔（44）を通って冷媒が吸入される。
【００７８】
上記駆動軸（33）が一回転して再び図４（Ｂ）の状態になると、各低圧室（C1-Lp,C3-Lp）への冷媒の吸入が完了する。そして、この各低圧室（C1-Lp,C3-Lp）が冷媒を圧縮する高圧室（C1-Hp,C3-Hp）となり、ブレード（25）を隔てて新たな低圧室（C1-Lp,C3-Lp）が形成される。上記駆動軸（33）がさらに回転すると、上記各低圧室（C1-Lp,C3-Lp）において冷媒の吸入が繰り返される一方、各高圧室（C1-Hp,C3-Hp）の容積が減少し、該各高圧室（C1-Hp,C3-Hp）で冷媒が圧縮される。この各高圧室（C1-Hp,C3-Hp）の圧力が所定値となって吐出空間（47）との差圧が設定値に達すると、該高圧室（C1-Hp,C3-Hp）の高圧冷媒によってそれぞれの吐出弁（46）が開き、高圧冷媒が吐出空間（47）から吐出通路（47a）を通って高圧空間（S2）へ流出する。
【００７９】
上記中間シリンダ室（C2）では、図４（Ｄ）の状態で低圧室（C2-Lp）の容積がほぼ最小であり、ここから駆動軸（33）が図の右回りに回転して図４（Ａ）、図４（Ｂ）、図４（Ｃ）の状態へ変化するに従って該低圧室（C2-Lp）の容積が増大し、それに伴って、冷媒が吸入管（14）および吸入口（41）を通って該低圧室（C2-Lp）に吸入される。ここで、該低圧室（C2-Lp）には、吸入口（41）からだけでなく、外側シリンダ室（C1）の低圧室（C1-Lp,C3-Lp）からも貫通孔（43）を通って冷媒が吸入される。
【００８０】
上記駆動軸（33）が一回転して再び図４（Ｄ）の状態になると、上記低圧室（C2-Lp）への冷媒の吸入が完了する。そして、この低圧室（C2-Lp）が冷媒を圧縮する高圧室（C2-Hp）となり、ブレード（25）を隔てて新たな低圧室（C2-Lp）が形成される。上記駆動軸（33）がさらに回転すると、上記低圧室（C2-Lp）において冷媒の吸入が繰り返される一方、高圧室（C2-Hp）の容積が減少し、該高圧室（C2-Hp）で冷媒が圧縮される。この高圧室（C2-Hp）の圧力が所定値となって吐出空間（47）との差圧が設定値に達すると、該高圧室（C2-Hp）の高圧冷媒によって吐出弁（46）が開き、高圧冷媒が吐出空間（47）から吐出通路（47a）を通って高圧空間（S2）へ流出する。
【００８１】
このように、各シリンダ室（C1,C2,C3）で圧縮されて高圧空間（S2）へ流出した高圧の冷媒は、吐出管（15）から吐出され、冷媒回路で凝縮行程、膨張行程、および蒸発行程を経た後、再び圧縮機（1）に吸入される。
【００８２】
次に、上記第１状態から第２状態への切換について説明する。先ず、上記ブレード背部室（28）が低圧状態に、可動用作動室（51）が第２状態に、固定用作動室（56）の背部室（59）が高圧状態にそれぞれ設定される。これにより、ブレード（25）がブレード溝（26）を後退し、固定用作動室（56）の固定用ピストン（57）がブレード（25）の第３固定穴（55c）に嵌合する。
【００８３】
上記の状態において、電動機（30）を起動すると、図５に示すように、環状ピストン（23）および円柱状ピストン（24）が外側シリンダ部（21a）および内側シリンダ部（21b）に対して揺動しながら公転し、所定の圧縮動作が行われる。その際、上記ブレード（25）は、先端が常に環状ピストン（23）の外周面よりやや内側に位置すると共に、揺動ブッシュ（29）と一体となって内側シリンダ部（21b）に対して揺動動作を行う。
【００８４】
具体的に、上記外側シリンダ室（C1）では、図５（Ａ）〜（Ｄ）の何れにおいてもブレード（25）によって低圧室（C1-Lp）と高圧室（C1-Hp）とに区画されることはない。したがって、吸入口（41）より流入した冷媒がそのまま吐出口（45）から流出する。つまり、上記外側シリンダ室（C1）は、冷媒の圧縮が行われない、いわゆる休止状態となる。
【００８５】
上記中間シリンダ室（C2）では、図５（Ｄ）の状態で低圧室（C2-Lp）の容積がほぼ最小となり、上記第１状態と同様に、駆動軸（33）が図の右回りに回転して図５（Ａ）、図５（Ｂ）、図５（Ｃ）の状態へ変化するに従って、冷媒が吸入されて圧縮される。
【００８６】
上記内側シリンダ室（C3）では、図５（Ｂ）の状態で低圧室（C3-Lp）の容積がほぼ最小となり、上記第１状態と同様に、駆動軸（33）が図の右回りに回転して図５（Ｃ）、図５（Ｄ）、図５（Ａ）の状態へ変化するに従って、冷媒が吸入されて圧縮される。このように、第２状態は、第１状態に比べて、外側シリンダ室（C1）で冷媒の圧縮が行われない分、圧縮機（1）の能力が低下する。
【００８７】
次に、上記第２状態から第３状態への切換について説明する。先ず、上記固定用作動室（56）の背部室（59）が低圧状態に設定される。これにより、固定用作動室（56）の固定用ピストン（57）が後退し、ブレード（25）の第３固定穴（55c）から抜ける。その後、上記ブレード背部室（28）が低圧状態に、可動用作動室（51）が第２状態に、固定用作動室（56）の背部室（59）が高圧状態に設定される。これにより、ブレード（25）がブレード溝（26）をさらに後退し、固定用作動室（56）の固定用ピストン（57）がブレード（25）の第２固定穴（55b）に嵌合する。
【００８８】
上記の状態において、電動機（30）を起動すると、図６に示すように、環状ピストン（23）および円柱状ピストン（24）が外側シリンダ部（21a）および内側シリンダ部（21b）に対して揺動しながら公転し、所定の圧縮動作が行われる。その際、上記ブレード（25）は、常に、先端が揺動ブッシュ（29）中心より外側であって環状ピストン（23）の内周面よりやや内側に位置すると共に、揺動ブッシュ（29）と一体となって内側シリンダ部（21b）に対して揺動動作を行う。
【００８９】
具体的に、上記外側シリンダ室（C1）では、上記第２状態と同様に、吸入口（41）より流入した冷媒が圧縮されずに、そのまま吐出口（45）より流出する。
【００９０】
上記中間シリンダ室（C2）では、図６（Ａ）〜（Ｄ）の何れにおいてもブレード（25）によって低圧室（C2-Lp）と高圧室（C2-Hp）とに区画されることはない。したがって、吸入口（41）および外側シリンダ室（C1）の低圧室（C1-Lp）より流入した冷媒がそのまま吐出口（45）から流出する。つまり、上記中間シリンダ室（C2）は、冷媒の圧縮が行われない、いわゆる休止状態となる。
【００９１】
上記内側シリンダ室（C3）では、図６（Ｂ）の状態で低圧室（C3-Lp）の容積がほぼ最小となり、上記第１状態と同様に、駆動軸（33）が図の右回りに回転して図６（Ｃ）、図６（Ｄ）、図６（Ａ）の状態へ変化するに従って、冷媒が吸入されて圧縮される。このように、第３状態は、第２状態に比べて、中間シリンダ室（C2）で冷媒の圧縮が行われない分、圧縮機（1）の能力が低下する。
【００９２】
次に、上記第３状態から全休止状態への切換について説明する。先ず、上記固定用作動室（56）の背部室（59）が低圧状態に設定される。これにより、固定用作動室（56）の固定用ピストン（57）が後退し、ブレード（25）の第２固定穴（55b）から抜ける。その後、上記ブレード背部室（28）が低圧状態に、可動用作動室（51）が第２状態に、固定用作動室（56）の背部室（59）が高圧状態に設定される。これにより、ブレード（25）がブレード溝（26）をさらに後退し、固定用作動室（56）の固定用ピストン（57）がブレード（25）の第１固定穴（55a）に嵌合する。
【００９３】
上記の状態において、電動機（30）を起動すると、図７に示すように、環状ピストン（23）および円柱状ピストン（24）が外側シリンダ部（21a）および内側シリンダ部（21b）に対して揺動しながら公転し、所定の圧縮動作が行われる。その際、上記ブレード（25）は、全体がブレード溝（26）内に収納されて固定される。つまり、上記ブレード（25）の先端が円柱状ピストン（24）の外周面から出ないようになっている。
【００９４】
具体的に、上記外側シリンダ室（C1）および中間シリンダ室（C2）では、上記第３状態と同様に、流入した冷媒が圧縮されずに、そのまま各吐出口（45）より流出する。
【００９５】
上記内側シリンダ室（C3）では、図７（Ａ）〜（Ｄ）の何れにおいてもブレード（25）によって低圧室（C3-Lp）と高圧室（C3-Hp）とに区画されることはない。したがって、吸入口（41）等より流入した冷媒がそのまま吐出口（45）から流出する。つまり、上記内側シリンダ室（C3）は、冷媒の圧縮が行われない、いわゆる休止状態となる。このように、全休止状態は、３つのシリンダ室（C1,C2,C3）の何れにおいても冷媒の圧縮が行われないため、圧縮機（1）の能力がゼロの状態となる。
【００９６】
一方、例えば、全休止状態から第３状態、第２状態および第１状態へと順に切り換える際、つまり圧縮機（1）の容量を増大させる際は、可動用作動室（51）を第１状態に設定してブレード（25）を径方向外方へ可動させ、固定用ピストン（57）を所定の固定穴（55a,55b,55c）に嵌合させる。
【００９７】
なお、本実施形態では、各状態を順に切り換える場合だけでなく、例えば、第１状態から、一気に第３状態または全休止状態へ切り換えて圧縮機（1）の能力を大幅に低下させることもできるし、逆に全休止状態から一気に第１状態へ切り換えて圧縮機（1）の能力を大幅に増大させることもできる。
【００９８】
−実施形態１の効果−
以上のように、本実施形態１によれば、シリンダ（21）の径方向に３つのシリンダ室（C1,C2,C3）を形成し、円柱状ピストン（24）に挿入したブレード（25）を内側シリンダ部（21b）および環状ピストン（23）を摺接しながら挿通させて進退させるようにしたので、そのブレード（25）を所定位置まで進退させることで低圧室（C1-Lp,・・・）と高圧室（C1-Hp,・・・）とに区画するシリンダ室（C1,C2,C3）の数量を変更することができる。これにより、圧縮機（1）の能力制御が可能となる。
【００９９】
また、１つのブレード（25）を進退させるだけでよいため、簡易に能力変更ができると共に、従来のように環状ピストン（23）におけるブレードの片当たりが生じないため、環状ピストン（23）や内側シリンダ部（21b）の損傷を防止でき、機器の信頼性が向上する。  また、上記内側シリンダ部（21b）の分断箇所に揺動ブッシュ（29）を設け、ブレード（25）を揺動自在に保持するようにしたので、環状ピストン（23）および円柱状ピストン（24）をブレード（25）と一体となって確実に揺動回転させることができる。
【０１００】
さらに、本実施形態の圧縮機（1）は、全休止状態にすることができるので、例えば、頻繁に運転の発停を繰り返す場合、わざわざ電動機（30）を停止させなくても能力をゼロにすることができる。これにより、電動機（30）を起動させる際には運転中の電流より高い起動電流が流れるが、この起動電流によって懸かる電気代を省略することができる。
【０１０１】
また、ほぼ中央に位置する円柱状ピストン（24）にブレード溝（26）を設けていることから、シリンダにブレード溝を設けてブレードを進退させる従来のロータリ式圧縮機に比べて、シリンダ（21）全体の径を小さくすることができる。この結果、圧縮機（1）のコンパクト化を図ることができる。
【０１０２】
−実施形態１の変形例−
本変形例は、図１４に示すように、上記実施形態１における３つのシリンダ室（C1,C2,C3）を２つのシリンダ室（C1,C2）に変更したものである。つまり、本変形例は、実施形態１における円柱状ピストン（24）を省略し、内側シリンダ部（21b）を中実の円柱状に形成するようにしたものである。
【０１０３】
具体的に、上記圧縮機構（20）では、シリンダ室（C1,C2）が環状ピストン（23）によって外側シリンダ室（C1）と内側シリンダ室（C2）とに区画される。上記ブレード溝（26）は、内側シリンダ部（21b）に径方向に延びて形成され、ブレード（25）が進退自在に挿入されている。上記揺動ブッシュ（29）は、環状ピストン（23）の分断箇所に設けられている。そして、上記ブレード（25）は、先端が揺動ブッシュ（29）を挿通して外側シリンダ部（21a）の内周面に接する第１状態（図１４に実線で示す状態）と、先端が揺動ブッシュ（29）内に位置して外側シリンダ室（C1）を単一空間とする第２状態（図１４に二点鎖線で示す状態）と、先端がブレード溝（26）内に位置して外側シリンダ室（C1）および内側シリンダ室（C2）の両方を単一空間とする第３状態（図示せず）とになるように進退する。
【０１０４】
このように、第１状態、第２状態および第３状態と順に容量が低くなるので、１つのブレード（25）を進退させるだけで、容量制御が可能となる。その他の構成、作用および効果は実施形態１と同様である。
【０１０５】
《発明の実施形態２》
本実施形態２の圧縮機（1）は、上記実施形態１がブレード溝（26）を円柱状ピストン（24）に形成するようにしたのに代えて、外側シリンダ部（21a）に形成するようにしたものである。さらに、本実施形態２は、実施形態１におけるブレード（25）の可動機構を変更したものである。
【０１０６】
図８に示すように、上記ブレード溝（26）は、外側シリンダ部（21a）の径方向に沿って形成されている。上記ブレード溝（26）には、ブレード（25）が外側シリンダ部（21a）の径方向に沿って進退且つ摺動可能に挿入されている。上記ブレード溝（26）のブレード背部室（28）内には、ブレード（25）を径方向内方へ付勢するスプリング（27）が設けられている。そして、上記ブレード（25）は、実施形態１と同様に、各シリンダ室（C1,C2,C3）を高圧室（C1-Hp,C2-Hp,C3-Hp）と低圧室（C1-Lp,C2-Lp,C3-Lp）とに区画可能に構成されている。
【０１０７】
本実施形態は、ブレード（25）が挿通する揺動ブッシュ（29）が内側シリンダ部（21b）ではなく環状ピストン（23）に設けられている。上記環状ピストン（23）は、環状の一部分が分断されてＣ型形状に形成されている。そして、上記揺動ブッシュ（29）が環状ピストン（23）の分断部分に設けられている。上記揺動ブッシュ（29）は、ブレード（25）に対して環状ピストン（23）と一体的に揺動するように構成されている。
【０１０８】
上記内側シリンダ部（21b）は、環状の一部分が分断されてＣ型形状に形成されている。この内側シリンダ部（21b）の分断部分は、ブレード（25）が挿通するためのブレード挿通部（2）を構成している。つまり、上記ブレード（25）は、ブレード挿通部（23a）を摺動する。
【０１０９】
また、上記圧縮機構（20）は、ブレード（25）によって高圧室（C1-Hp,・・・）と低圧室（C1-Lp,・・・）とに区画されるシリンダ室（C1,C2,C3）の数量が可変となるように構成されている。つまり、上記ブレード（25）は、３つの全てのシリンダ室（C1,C2,C3）を区画する第１状態と、外側シリンダ室（C1）および中間シリンダ室（C2）のみを区画する第２状態と、外側シリンダ室（C1）のみを区画する第３状態と、全てのシリンダ室（C1,C2,C3）を区画しない全休止状態とに切り換わるように可動する。
【０１１０】
図９に示すように、上記ブレード（25）の一側面には、ラック（61）が形成されている。このラック（61）は、ブレード（25）の幅方向（図９における左右方向）に沿って形成されている。上記外側シリンダ部（21a）の内部には、ピニオンギヤ（62）が設けられている。このピニオンギヤ（62）は、ブレード（25）に形成されたラック（61）に噛み合い、回転することによってブレード（25）をブレード溝（26）に対して進退させるように構成されている。なお、上記ピニオンギヤ（62）は、図示しないが、例えば、別途設けられるステップモータの駆動軸に連結され、正逆可能に回転駆動される。
【０１１１】
具体的に、第１状態の場合は、ピニオンギヤ（62）とステップモータの駆動軸との連結を解除し、ピニオンギヤ（62）がほぼ無抵抗で回転する状態にする。すなわち、上記ブレード（25）は、スプリング（27）によって外側シリンダ部（21a）の径方向外方へ付勢され、常に先端が円柱状ピストン（24）の外周面に接触するように進退する。したがって、図１０に示すように、各シリンダ室（C1,C2,C3）が低圧室（C1-Lp,C2-Lp,C3-Lp）と高圧室（C1-Hp,C2-Hp,C3-Hp）とに区画され、各シリンダ室（C1,C2,C3）において冷媒の圧縮が行われる。なお、各シリンダ室（C1,C2,C3）における冷媒の吸入動作および圧縮動作については、実施形態１の第１状態と同様である。
【０１１２】
次に、第１状態から第２状態へ切り換える場合、ステップモータを起動してピニオンギヤ（62）を図９における右回転（本実施形態において正回転とする。）させることにより、ブレード（25）をブレード溝（26）内へ後退させる。そして、図１１に示すように、ブレード（25）の先端が内側シリンダ部（21b）のブレード挿通部（23a）内に位置する状態で、ピニオンギヤ（62）の回転を停止してブレード（25）をブレード溝（26）に対して固定する。これにより、外側シリンダ室（C1）および中間シリンダ室（C2）のみが低圧室（C1-Lp,C2-Lp）と高圧室（C1-Hp,C2-Hp）とに区画され、冷媒の圧縮が行われる。一方、上記内側シリンダ室（C3）が休止状態となる。このように、第２状態は、第１状態に比べて、内側シリンダ室（C3）で冷媒の圧縮が行われない分、圧縮機（1）の能力が低下する。
【０１１３】
次に、第２状態から第３状態へ切り換える場合、さらにピニオンギヤ（62）を右回転させ、ブレード（25）をブレード溝（26）内へ後退させる。そして、図１２に示すように、ブレード（25）の先端が内側シリンダ部（21b）の外周面より外側であって揺動ブッシュ（29）中心より内側に位置する状態で、ピニオンギヤ（62）の回転を停止してブレード（25）をブレード溝（26）に対して固定する。これにより、外側シリンダ室（C1）のみが低圧室（C1-Lp）と高圧室（C1-Hp）とに区画され、冷媒の圧縮が行われる。一方、上記内側シリンダ室（C3）および中間シリンダ室（C2）が休止状態となる。このように、第３状態は、第２状態に比べて、中間シリンダ室（C2）で冷媒の圧縮が行われない分、圧縮機（1）の能力が低下する。
【０１１４】
次に、第３状態から全休止状態へ切り換える場合、さらにピニオンギヤ（62）を右回転させ、ブレード（25）をブレード溝（26）内へ後退させる。そして、図１３に示すように、ブレード（25）全体がブレード溝（26）内に収納される状態で、ピニオンギヤ（62）の回転を停止してブレード（25）をブレード溝（26）に対して固定する。これにより、３つのシリンダ室（C1,C2,C3）の何れにおいても低圧室（C1-Lp,C2-Lp,C3-Lp）と高圧室（C1-Hp,C2-Hp,C3-Hp）とに区画されることはないため、冷媒の圧縮が行われず、圧縮機（1）の能力がゼロの状態となる。
【０１１５】
また、例えば、全休止状態から第３状態、第２状態および第１状態へと順に切り換える際には、つまり圧縮機（1）の容量を増大させる際には、ピニオンギヤ（62）を図９における左回転（本実施形態において逆回転とする。）させ、ブレード（25）を径方向内方へ可動させ、所定の位置で固定する。その他の構成、作用および効果は実施形態１と同様である。
【０１１６】
なお、本実施形態では、ブレード（25）をラック（61）およびピニオンギヤ（62）で駆動させるようにしたが、実施形態１で用いたブレード（25）の可動方法を適用するようにしてもよい。つまり、本実施形態において、ブレード（25）に可動用作動室を設け、外側シリンダ部（21a）に固定用作動室を設けるようにしてもよい。
【０１１７】
−実施形態２の変形例−
本変形例は、図１５に示すように、上記実施形態１における３つのシリンダ室（C1,C2,C3）を２つのシリンダ室（C1,C2）に変更したものである。つまり、本変形例は、実施形態２における円柱状ピストン（24）を省略し、内側シリンダ部（21b）を中実の円柱状に形成するようにしたものである。
【０１１８】
具体的に、上記圧縮機構（20）では、シリンダ室（C1,C2）が環状ピストン（23）によって外側シリンダ室（C1）と内側シリンダ室（C2）とに区画される。上記ブレード溝（26）は、外側シリンダ部（21a）に該外側シリンダ部（21a）の径方向に延びて形成され、ブレード（25）が進退自在に挿入されている。上記揺動ブッシュ（29）は、環状ピストン（23）の分断箇所に設けられている。そして、上記ブレード（25）は、先端が揺動ブッシュ（29）を挿通して内側シリンダ部（21b）の外周面に接する第１状態（図１５に実線で示す状態）と、先端が揺動ブッシュ（29）内に位置して内側シリンダ室（C2）を単一空間とする第２状態（図１５に二点鎖線で示す状態）と、先端がブレード溝（26）内に位置して外側シリンダ室（C1）および内側シリンダ室（C2）の両方を単一空間とする第３状態（図示せず）とになるように進退する。
【０１１９】
このように、第１状態、第２状態および第３状態と順に容量が低くなるので、１つのブレード（25）を進退させるだけで、容量制御が可能となる。その他の構成、作用および効果は実施形態２と同様である。
【０１２０】
《発明の実施形態３》
本実施形態３の圧縮機（1）は、図１６および図１７に示すように、上記実施形態１が１つのブレード（25）で３つのシリンダ室（C1,C2,C3）を高圧室（C1-Hp,・・・）と低圧室（C1-Lp,・・・）とに区画したのに代えて、２つのブレード部材（25a,25b）で区画するようにしたものである。
【０１２１】
また、上記実施形態１では、外ピストン部として環状ピストン（23）が、内ピストン部として円柱状ピストン（24）がそれぞれ設けられたが、本実施形態では、外ピストン部として第１環状ピストン（23）を、内ピストン部として第２環状ピストン（24）をそれぞれ設けるようにしたものである。なお、上記駆動軸（33）は、偏心回転部（17）を上下方向に貫通し、偏心部（33a）が第２環状ピストン（24）の内部に嵌合している。
【０１２２】
上記圧縮機構（20）は、上部ハウジング（16）に加え下部ハウジング（19）を備えており、その両者の間に偏心回転部（17）が位置している。上記下部ハウジング（19）は、ケーシング（10）に固定され、駆動軸（33）を回転自在に支持している。
【０１２３】
図１７に示すように、上記圧縮機構（20）は、ブレードとして、内側ブレード部材（25a）と外側ブレード部材（25b）とを備えている。
【０１２４】
上記内側ブレード部材（25a）は、第１環状ピストン（23）と第２環状ピストン（24）とに一体に形成されている。この内側ブレード部材（25a）は、第１環状ピストン（23）の内周面から第２環状ピストン（24）の外周面まで両ピストン（23,24）の径方向に延びて形成され、内側シリンダ部（21b）の分断箇所に設けられた揺動ブッシュ（29）を挿通している。したがって、上記中間シリンダ室（C2）および内側シリンダ室（C3）は、常に内側ブレード部材（25a）によって高圧室（C2-Hp,C3-Hp）と低圧室（C2-Lp,C3-Lp）とに区画される。
【０１２５】
上記両ピストン（23,24）は、揺動ブッシュ（29）と一体となってシリンダ（21）に対して揺動動作を行うと共に、内側ブレード部材（25a）と一体となってシリンダ（21）に対して進退動作を行う。
【０１２６】
上記外側ブレード部材（25b）は、外側シリンダ部（21a）に形成されたブレード溝（26）に外側シリンダ部（21a）の径方向に沿って進退自在に挿入されている。上記ブレード溝（26）のブレード背部室（28）には、外側ブレード部材（25b）を外側シリンダ部（21a）の径方向内方へ付勢するスプリング（27）が設けられている。そして、上記ブレード背部室（28）は、実施形態２と同様に、高圧が作用する状態と、この高圧が作用しない状態とに切り換わるように構成されている。
【０１２７】
この外側ブレード部材（25b）は、ブレード背部室（28）に作用する高圧により、先端が第１環状ピストン（23）の外周面に摺接する第１状態（図１７（Ａ）参照）と、ブレード背部室（28）に高圧が作用しなくなると、先端が第１環状ピストン（23）の外周面から離隔する第２状態（図１７（Ｂ）参照）とになるように進退する。すなわち、第１状態の場合、外側シリンダ室（C1）が外側ブレード部材（25b）によって高圧室（C1-Hp）と低圧室（C1-Lp）とに区画され、第２状態の場合、外側シリンダ室（C1）が区画されずに単一空間となる。この結果、第１状態では、３つのシリンダ室（C1,C2,C3）で冷媒の圧縮が行われ、第２状態では、中間シリンダ室（C2）および内側シリンダ室（C3）のみで冷媒の圧縮が行われる。その他の構成、作用および効果は実施形態１と同様である。
【０１２８】
−実施形態３の変形例−
本変形例は、図１８に示すように、上記実施形態３が外側シリンダ室（C1）を単一空間にするようにしたのに代えて、内側シリンダ室（C3）を単一空間にするようにしたものである。なお、本変形例は、上記実施形態１と同様に、内ピストン部として円柱状ピストン（24）が設けられると共に、下部ハウジング（19）が省略され、駆動軸（33）がシリンダ室（C1,C2,C3）を貫通していない。
【０１２９】
具体的に、上記外側ブレード部材（25b）は、外側シリンダ部（21a）と内側シリンダ部（21b）とに一体に形成されている。この外側ブレード部材（25b）は、外側シリンダ部（21a）の内周面から内側シリンダ部（21b）の外周面までシリンダ（21）の径方向に延びて形成され、環状ピストン（23）の分断箇所に設けられた揺動ブッシュ（29）を挿通している。したがって、上記外側シリンダ室（C1）および中間シリンダ室（C2）は、常に外側ブレード部材（25b）によって高圧室（C1-Hp,C2-Hp）と低圧室（C1-Lp,C2-Lp）とに区画される。
【０１３０】
上記内側ブレード部材（25a）は、円柱状ピストン（24）に形成されたブレード溝（26）に円柱状ピストン（24）の径方向に沿って進退自在に挿入されている。上記ブレード溝（26）のブレード背部室（28）には、内側ブレード部材（25a）を円柱状ピストン（24）の径方向外方へ付勢するスプリング（27）が設けられている。そして、上記ブレード背部室（28）は、実施形態１と同様に、高圧が作用する状態と、この高圧が作用しない状態とに切り換わるように構成されている。
【０１３１】
この内側ブレード部材（25a）は、ブレード背部室（28）に作用する高圧により、先端が内側シリンダ部（21b）の内周面に摺接する第１状態（図１８（Ａ）参照）と、ブレード背部室（28）に高圧が作用しなくなると、先端が内側シリンダ部（21b）の内周面から離隔する第２状態（図１８（Ｂ）参照）とになるように進退する。すなわち、第１状態の場合、内側シリンダ室（C3）が内側ブレード部材（25a）によって高圧室（C3-Hp）と低圧室（C3-Lp）とに区画され、第２状態の場合、外側シリンダ室（C1）が区画されずに単一空間となる。この結果、第１状態では、３つのシリンダ室（C1,C2,C3）で冷媒の圧縮が行われ、第２状態では、外側シリンダ室（C1）および中間シリンダ室（C2）のみで冷媒の圧縮が行われる。その他の構成、作用および効果は実施形態１と同様である。
【０１３２】
《その他の実施形態》
例えば、上記各実施形態では、３つのシリンダ室（C1,C2,C3）を有する圧縮機（1）について説明したが、本発明は、例えば円柱状ピストン（24）を省略した２つのシリンダ室（C1,C2）を有する圧縮機に対しても同様に適用できる。例えば、上記第１実施形態の場合、内側シリンダ部（21b）にブレード溝を形成し、該ブレード溝からブレード（25）を所定位置まで進退させる。
【０１３３】
なお、以上の実施形態は、本質的に好ましい例示であって、本発明、その適用物、あるいはその用途の範囲を制限することを意図するものではない。
【産業上の利用可能性】
【０１３４】
以上説明したように、本発明は、径方向に複数のシリンダ室を有し、該シリンダ室をブレードによって高低圧室に区画する回転式流体機械として有用である。
【図面の簡単な説明】
【０１３５】
【図１】実施形態に係る圧縮機を示す縦断面図である。
【図２】実施形態１に係る圧縮機構を示す横断面図である。
【図３】実施形態１に係る圧縮機構の要部を示す横断面図である。
【図４】実施形態１に係る第１状態の圧縮機構の動作を示す横断面図である。
【図５】実施形態１に係る第２状態の圧縮機構の動作を示す横断面図である。
【図６】実施形態１に係る第３状態の圧縮機構の動作を示す横断面図である。
【図７】実施形態１に係る全休止状態の圧縮機構の動作を示す横断面図である。
【図８】実施形態２に係る圧縮機構を示す横断面図である。
【図９】実施形態２に係る圧縮機構の要部を示す横断面図である。
【図１０】実施形態２に係る第１状態の圧縮機構の動作を示す横断面図である。
【図１１】実施形態２に係る第２状態の圧縮機構の動作を示す横断面図である。
【図１２】実施形態２に係る第３状態の圧縮機構の動作を示す横断面図である。
【図１３】実施形態２に係る全休止状態の圧縮機構の動作を示す横断面図である。
【図１４】実施形態１の変形例に係る圧縮機構を示す横断面図である。
【図１５】実施形態２の変形例に係る圧縮機構を示す横断面図である。
【図１６】実施形態３に係る圧縮機を示す縦断面図である。
【図１７】実施形態３に係る圧縮機構を示す横断面図である。
【図１８】実施形態３の変形例に係る圧縮機構を示す横断面図である。
【図１９】従来の圧縮機を示す横断面図である。
【符号の説明】
【０１３６】
1             圧縮機
17            偏心回転部（ピストン）
21            シリンダ
21a           外側シリンダ部
21b           内側シリンダ部
23            環状ピストン（外ピストン部）
24            円柱状ピストン（内ピストン部）
25            ブレード
25a           内側ブレード部材
25b           外側ブレード部材
26            ブレード溝
C1            外側シリンダ室
C2            中間シリンダ室（内側シリンダ室）
C3            内側シリンダ室
C1〜C3-Hp     高圧室
C1〜C3-Lp     低圧室
【図１】
2006307762.tif 000003
【図２】
2006307762.tif 000004
【図３】
2006307762.tif 000005
【図４】
2006307762.tif 000006
【図５】
2006307762.tif 000007
【図６】
2006307762.tif 000008
【図７】
2006307762.tif 000009
【図８】
2006307762.tif 000010
【図９】
2006307762.tif 000011
【図１０】
2006307762.tif 000012
【図１１】
2006307762.tif 000013
【図１２】
2006307762.tif 000014
【図１３】
2006307762.tif 000015
【図１４】
2006307762.tif 000016
【図１５】
2006307762.tif 000017
【図１６】
2006307762.tif 000018
【図１７】
2006307762.tif 000019
【図１８】
2006307762.tif 000020
【図１９】
2006307762.tif 000021
【手続補正書】
【提出日】平成18年7月18日(2006.7.18)
【手続補正１】
【補正対象書類名】特許請求の範囲
【補正対象項目名】全文
【補正方法】変更
【補正の内容】
【特許請求の範囲】
【請求項１】
環状のシリンダ室（C1,C2）を有するシリンダ（21）と、
該シリンダ（21）に対して偏心してシリンダ室（C1,C2）に収納され、該シリンダ室（C1,C2）を外側シリンダ室（C1）と内側シリンダ室（C2）とに区画する環状ピストン（23）と、
少なくとも上記環状ピストン（23）を貫通し、外側シリンダ室（C1）および内側シリンダ室（C2）を高圧室（C1-Hp,C2-Hp）と低圧室（C1-Lp,C2-Lp）とに区画するブレード（25）とを備え、
上記シリンダ（21）と環状ピストン（23）とは相対的に偏心回転運動をするように構成される一方、
上記ブレード（25）は、上記外側シリンダ室（C1）および内側シリンダ室（C2）の少なくとも何れか１室が１回転運動中において単一空間となるように上記ブレード（25）の長手方向に進退自在に構成されている
ことを特徴とする回転式流体機械。
【請求項２】
請求項１において、
上記環状ピストン（23）は、ブレード（25）が貫通可能に一部分が分断されたＣ型に形成され、
上記ブレード（25）は、シリンダ室（C1,C2）の内周側の壁内に形成されたブレード溝（26）にシリンダ（21）の径方向に沿って進退自在に挿入される一方、
上記ブレード（25）は、先端がシリンダ室（C1,C2）の外周側の壁面に摺接して外側シリンダ室（C1）および内側シリンダ室（C2）を高圧室（C1-Hp,C2-Hp）と低圧室（C1-Lp,C2-Lp）とに区画する第１状態と、先端が環状ピストン（23）の分断箇所内に位置して外側シリンダ室（C1）のみを単一空間とする第２状態とになるように進退する
ことを特徴とする回転式流体機械。
【請求項３】
請求項１において、
上記環状ピストン（23）は、ブレード（25）が貫通可能に一部分が分断されたＣ型に形成され、
上記ブレード（25）は、シリンダ室（C1,C2）の外周側の壁内に形成されたブレード溝（26）にシリンダ（21）の径方向に沿って進退自在に挿入される一方、
上記ブレード（25）は、先端がシリンダ室（C1,C2）の内周側の壁面に摺接して外側シリンダ室（C1）および内側シリンダ室（C2）を高圧室（C1-Hp,C2-Hp）と低圧室（C1-Lp,C2-Lp）とに区画する第１状態と、先端が環状ピストン（23）の分断箇所内に位置して内側シリンダ室（C2）のみを単一空間とする第２状態とになるように進退する
ことを特徴とする回転式流体機械。
【請求項４】
請求項２または３において、
上記ブレード（25）は、先端がブレード溝（26）内に位置して外側シリンダ室（C1）および内側シリンダ室（C2）をそれぞれ単一空間とする第３状態になるように進退する
ことを特徴とする回転式流体機械。
【請求項５】
内側シリンダ室（C3）および外側の環状シリンダ室（C1,C2）を形成する内側シリンダ部（21b）と外側シリンダ部（21a）とを有するシリンダ（21）と、
上記内側シリンダ室（C3）に収納される内ピストン部（24）および環状シリンダ室（C1,C2）に収納されて該環状シリンダ室（C1,C2）を外側シリンダ室（C1）と中間シリンダ室（C2）とに区画する外ピストン部（23）を有し、上記内ピストン部（24）および外ピストン部（23）が一体となって上記シリンダ（21）に対して偏心しているピストン（17）と、
上記内側シリンダ室（C3）、中間シリンダ室（C2）および外側シリンダ室（C1）を高圧室（C1-Hp,C2-Hp,C3-Hp）と低圧室（C1-Lp,C2-Lp,C3-Lp）とに区画する単体のブレード（25）とを備え、
上記シリンダ（21）とピストン（17）とは相対的に偏心回転運動をするように構成される一方、
上記ブレード（25）は、内側シリンダ室（C3）および外側シリンダ室（C1）の少なくとも何れか１室が１回転運動中において単一空間となるように上記ブレード（25）の長さ方向に進退自在に構成されている
ことを特徴とする回転式流体機械。
【請求項６】
請求項５において、
上記外ピストン部（23）および内側シリンダ部（21b）は、ブレード（25）が貫通可能に一部分が分断されたＣ型に形成され、
上記ブレード（25）は、内ピストン部（24）に形成されたブレード溝（26）に内ピストン部（24）の径方向に沿って進退自在に挿入される一方、
上記ブレード（25）は、先端が外側シリンダ部（21a）の内周面に摺接して外側シリンダ室（C1）、中間シリンダ室（C2）および内側シリンダ室（C3）を高圧室（C1-Hp,C2-Hp,C3-Hp）と低圧室（C1-Lp,C2-Lp,C3-Lp）とに区画する第１状態と、先端が外ピストン部（23）の分断箇所内に位置して外側シリンダ室（C1）のみを単一空間とする第２状態と、先端が内側シリンダ部（21b）の分断箇所内に位置して外側シリンダ室（C1）および中間シリンダ室（C2）のみをそれぞれ単一空間とする第３状態とになるように進退する
ことを特徴とする回転式流体機械。
【請求項７】
請求項５において、
上記外ピストン部（23）および内側シリンダ部（21b）は、ブレード（25）が貫通可能に一部分が分断されたＣ型に形成され、
上記ブレード（25）は、外側シリンダ部（21a）に形成されたブレード溝（26）に外外側シリンダ部（21a）の径方向に沿って進退自在に挿入される一方、
上記ブレード（25）は、先端が内ピストン部（24）の外周面に摺接して外側シリンダ室（C1）、中間シリンダ室（C2）および内側シリンダ室（C3）を高圧室（C1-Hp,C2-Hp,C3-Hp）と低圧室（C1-Lp,C2-Lp,C3-Lp）とに区画する第１状態と、先端が内側シリンダ部（21b）の分断箇所内に位置して内側シリンダ室（C3）のみを単一空間とする第２状態と、先端が外ピストン部（23）の分断箇所内に位置して内側シリンダ室（C3）および中間シリンダ室（C2）のみをそれぞれ単一空間とする第３状態とになるように進退する
ことを特徴とする回転式流体機械。
【請求項８】
請求項６または７において、
上記ブレード（25）は、先端がブレード溝（26）内に位置して外側シリンダ室（C1）、中間シリンダ室（C2）および内側シリンダ室（C3）をそれぞれ単一空間とする第４状態になるように進退する
ことを特徴とする回転式流体機械。
【請求項９】
内側シリンダ室（C3）および外側の環状シリンダ室（C1,C2）を形成する内側シリンダ部（21b）と外側シリンダ部（21a）とを有するシリンダ（21）と、
上記内側シリンダ室（C3）に収納される内ピストン部（24）および環状シリンダ室（C1,C2）に収納されて該環状シリンダ室（C1,C2）を外側シリンダ室（C1）と中間シリンダ室（C2）とに区画する外ピストン部（23）を有し、上記内ピストン部（24）および外ピストン部（23）が一体となって上記シリンダ（21）に対して偏心しているピストン（17）と、
上記外ピストン部（23）および内ピストン部（24）と一体に形成され、上記内側シリンダ部（21b）を貫通して上記中間シリンダ室（C2）および内側シリンダ室（C3）を高圧室（C2-Hp,C3-Hp）と低圧室（C2-Lp,C3-Lp）とに区画する内側ブレード部材（25a）と、
上記外側シリンダ部（21a）に形成されたブレード溝（26）に外側シリンダ部（21a）の径方向に沿って進退自在に挿入され、外側シリンダ室（C1）を高圧室（C1-Hp）と低圧室（C1-Lp）とに区画する外側ブレード部材（25b）とを備え、
上記ピストン（17）は、固定状態のシリンダ（21）に対して偏心回転運動をするように構成される一方、
上記外側ブレード部材（25b）は、先端が外ピストン部（23）の外周面に摺接して外側シリンダ室（C1）を高圧室（C1-Hp）と低圧室（C1-Lp）とに区画する第１状態と、先端が外ピストン部（23）の外周面と離隔して外側シリンダ室（C1）を１回転運動中において単一空間とする第２状態とになるように進退する
ことを特徴とする回転式流体機械。
【請求項１０】
内側シリンダ室（C3）および外側の環状シリンダ室（C1,C2）を形成する内側シリンダ部（21b）と外側シリンダ部（21a）とを有するシリンダ（21）と、
上記内側シリンダ室（C3）に収納される内ピストン部（24）および環状シリンダ室（C1,C2）に収納されて該環状シリンダ室（C1,C2）を外側シリンダ室（C1）と中間シリンダ室（C2）とに区画する外ピストン部（23）を有し、上記内ピストン部（24）および外ピストン部（23）が一体となって上記シリンダ（21）に対して偏心しているピストン（17）と、
上記外側シリンダ部（21a）および内側シリンダ部（21b）と一体に形成され、上記外ピストン部（23）を貫通して上記外側シリンダ室（C1）および中間シリンダ室（C2）を高圧室（C1-Hp,C2-Hp）と低圧室（C1-Lp,C2-Lp）とに区画する外側ブレード部材（25b）と、
上記内ピストン部（24）に形成されたブレード溝（26）に内ピストン部（24）の径方向に沿って進退自在に挿入され、内側シリンダ室（C3）を高圧室（C3-Hp）と低圧室（C3-Lp）とに区画する内側ブレード部材（25a）とを備え、
上記ピストン（17）は、固定状態のシリンダ（21）に対して偏心回転運動をするように構成される一方、
上記内側ブレード部材（25a）は、先端が内側シリンダ部（21b）の内周面に摺接して内側シリンダ室（C3）を高圧室（C3-Hp）と低圧室（C3-Lp）とに区画する第１状態と、先端が内側シリンダ部（21b）の内周面と離隔して内側シリンダ室（C3）を１回転運動中において単一空間とする第２状態とになるように進退する
ことを特徴とする回転式流体機械。
【手続補正２】
【補正対象書類名】明細書
【補正対象項目名】全文
【補正方法】変更
【補正の内容】
【発明の詳細な説明】
【技術分野】
【０００１】
本発明は、回転式流体機械に関し、特に、複数のシリンダ室を有する回転式流体機械の能力制御に係るものである。
【背景技術】
【０００２】
従来より、環状のシリンダ室の内部で環状ピストンが偏心回転運動をする偏心回転形ピストン機構を備えた回転式流体機械として、環状ピストンの偏心回転運動に伴うシリンダ室の容積変化によって冷媒を圧縮する圧縮機がある（例えば、特許文献１参照）。
【０００３】
図１９に示すように、上記圧縮機は、環状のシリンダ室（C1,C2）を有するシリンダ（121）と、該シリンダ室（C1,C2）に配置された環状ピストン（122）とを備えている。上記シリンダ（121）は、互いに同心上に配置された外側シリンダ（124）と内側シリンダ（125）とで構成されている。つまり、この外側シリンダ（124）と内側シリンダ（125）との間にシリンダ室（C1,C2）が形成され、該シリンダ室（C1,C2）が環状ピストン（122）によって外側シリンダ室（C1）と内側シリンダ室（C2）とに区画されている。上記環状ピストン（122）は、外周面が外側シリンダ（124）の内周面と実質的に１点で接し、内周面が内側シリンダ（125）の外周面と実質的に１点で接しながら、シリンダ（121）中心に対して偏心回転運動をするように構成されている。
【０００４】
上記環状ピストン（122）の外側には外側ブレード（123A）が配置され、内側には外側ブレード（123A）の延長線上に内側ブレード（123B）が配置されている。上記外側ブレード（123A）は、外側シリンダ（124）に挿入されて環状ピストン（122）の径方向内方に向かって付勢され、先端が環状ピストン（122）の外周面に圧接している。上記内側ブレード（123B）は、内側シリンダ（125）に挿入されて環状ピストン（122）の径方向外側に向かって付勢され、先端が環状ピストン（122）の内周面に圧接している。上記外側ブレード（123A）および内側ブレード（123B）は、外側シリンダ室（C1）および内側シリンダ室（C2）をそれぞれ高圧室と低圧室とに区画している。そして、上記圧縮機は、環状ピストン（122）の偏心回転運動に伴って、各シリンダ室（C1,C2）の低圧室で流体の吸入が行われ、高圧室で流体の圧縮が行われる。
【特許文献１】特開平６−２８８３５８号公報
【発明の開示】
【発明が解決しようとする課題】
【０００５】
しかしながら、上述した特許文献１の圧縮機では、各シリンダ室（C1,C2）の容積が一定であるため、電動機の運転周波数を変更して容量制御する以外に容量制御を行うことができないという問題があった。つまり、運転周波数の調節だけでは、特に容量を大幅に変更することができなかった。
【０００６】
本発明は、斯かる点に鑑みてなされたものであり、その目的とするところは、少なくとも環状のシリンダ室に偏心回転運動をする環状ピストンが配置されて複数のシリンダ室が形成される回転式流体機械において、少なくともシリンダ室の１室を休止させることによって容量制御を行うことである。
【課題を解決するための手段】
【０００７】
第１の発明は、環状のシリンダ室（C1,C2）を有するシリンダ（21）と、該シリンダ（21）に対して偏心してシリンダ室（C1,C2）に収納され、該シリンダ室（C1,C2）を外側シリンダ室（C1）と内側シリンダ室（C2）とに区画する環状ピストン（23）と、少なくとも上記環状ピストン（23）を貫通し、外側シリンダ室（C1）および内側シリンダ室（C2）を高圧室（C1-Hp,C2-Hp）と低圧室（C1-Lp,C2-Lp）とに区画するブレード（25）とを備え、上記シリンダ（21）と環状ピストン（23）とは相対的に偏心回転運動をするように構成されている。一方、上記ブレード（25）は、上記外側シリンダ室（C1）および内側シリンダ室（C2）の少なくとも何れか１室が１回転運動中において単一空間となるように上記ブレード（25）の長手方向に進退自在に構成されている。
【０００８】
上記の発明では、例えば、外側シリンダ室（C1）および内側シリンダ室（C2）がブレード（25）によってそれぞれ高圧室（C1-Hp,C2-Hp）と低圧室（C1-Lp,C2-Lp）とに区画されている場合、シリンダ（21）と環状ピストン（23）とが相対的に偏心回転運動をすると、各シリンダ室（C1,C2）において流体が低圧室（C1-Lp,C2-Lp）に吸入され、高圧室（C1-Hp,C2-Hp）で流体が圧縮される。
【０００９】
ここで、例えば、外側シリンダ室（C1）を単一空間とするようにブレード（25）が進退すると、外側シリンダ室（C1）が高圧室（C1-Hp）と低圧室（C1-Lp）とに区画されないため、その外側シリンダ室（C1）で流体の圧縮が行われない。したがって、上記内側シリンダ室（C2）のみで流体の圧縮が行われ、圧縮能力が低下する。これは、内側シリンダ室（C2）を単一空間とした場合も同様である。
【００１０】
また、第２の発明は、上記第１の発明において、上記環状ピストン（23）は、ブレード（25）が貫通可能に一部分が分断されたＣ型に形成され、上記ブレード（25）がシリンダ室（C1,C2）の内周側の壁内に形成されたブレード溝（26）にシリンダ（21）の径方向に沿って進退自在に挿入されている。一方、上記ブレード（25）は、先端がシリンダ室（C1,C2）の外周側の壁面に摺接して外側シリンダ室（C1）および内側シリンダ室（C2）をそれぞれ高圧室（C1-Hp,C2-Hp）と低圧室（C1-Lp,C2-Lp）とに区画する第１状態と、先端が環状ピストン（23）の分断箇所内に位置して外側シリンダ室（C1）のみを単一空間とする第２状態とになるように進退する。
【００１１】
上記の発明では、例えば、ブレード（25）が第１状態の場合、シリンダ（21）と環状ピストン（23）とが相対的に偏心回転運動をすると、各シリンダ室（C1,C2）で流体の圧縮が行われる。つまり、１回転運動中において、常にブレード（25）の先端がシリンダ室（C1,C2）の内周側から環状ピストン（23）の分断箇所を貫通してシリンダ室（C1,C2）の外周側の壁面に接した状態となる。
【００１２】
上記ブレード（25）が第２状態の場合、外側シリンダ室（C1）が単一空間となり、内側シリンダ室（C2）のみが低圧室（C2-Lp）と高圧室（C2-Hp）とに区画される。したがって、内側シリンダ室（C2）のみにて流体の圧縮が行われる。これにより、第２状態は、第１状態より能力が低くなる。このように、１つのブレード（25）をシリンダ室（C1,C2）の内周側より進退させるだけで、外側シリンダ室（C1）が単一空間となり、容量制御が行われる。
【００１３】
また、第３の発明は、上記第１の発明において、上記環状ピストン（23）は、ブレード（25）が貫通可能に一部分が分断されたＣ型に形成され、上記ブレード（25）がシリンダ室（C1,C2）の外周側の壁内に形成されたブレード溝（26）にシリンダ（21）の径方向に沿って進退自在に挿入されている。一方、上記ブレード（25）は、先端がシリンダ室（C1,C2）の内周側の壁面に摺接して外側シリンダ室（C1）および内側シリンダ室（C2）を高圧室（C1-Hp,C2-Hp）と低圧室（C1-Lp,C2-Lp）とに区画する第１状態と、先端が環状ピストン（23）の分断箇所内に位置して内側シリンダ室（C2）のみを単一空間とする第２状態とになるように進退する。
【００１４】
上記の発明では、例えば、ブレード（25）が第１状態の場合、シリンダ（21）と環状ピストン（23）とが相対的に偏心回転運動をすると、各シリンダ室（C1,C2）で流体の圧縮が行われる。つまり、１回転運動中において、常にブレード（25）の先端がシリンダ室（C1,C2）の外周側から環状ピストン（23）の分断箇所を貫通してシリンダ室（C1,C2）の内周側の壁面に接した状態となる。
【００１５】
上記ブレード（25）が第２状態の場合、内側シリンダ室（C2）が単一空間となり、外側シリンダ室（C1）のみが低圧室（C1-Lp）と高圧室（C1-Hp）とに区画される。したがって、内側シリンダ室（C2）のみにて流体の圧縮が行われる。これにより、第２状態は、第１状態より能力が低くなる。このように、１つのブレード（25）をシリンダ室（C1,C2）の外周側より進退させるだけで、内側シリンダ室（C2）が単一空間となり、容量制御が行われる。
【００１６】
また、第４の発明は、上記第２または第３の発明において、上記ブレード（25）は、先端がブレード溝（26）内に位置して外側シリンダ室（C1）および内側シリンダ室（C2）をそれぞれ単一空間とする第３状態になるように進退する。
【００１７】
上記の発明では、外側シリンダ室（C1）および内側シリンダ室（C2）がそれぞれ単一空間となるので、全く流体の圧縮が行われないことになる。したがって、第３状態は、駆動停止させなくても、圧縮容量がゼロの状態となる。
【００１８】
また、第５の発明は、内側シリンダ室（C3）および外側の環状シリンダ室（C1,C2）を形成する内側シリンダ部（21b）と外側シリンダ部（21a）とを有するシリンダ（21）と、上記内側シリンダ室（C3）に収納される内ピストン部（24）および環状シリンダ室（C1,C2）に収納されて該環状シリンダ室（C1,C2）を外側シリンダ室（C1）と中間シリンダ室（C2）とに区画する外ピストン部（23）を有し、上記内ピストン部（24）および外ピストン部（23）が一体となって上記シリンダ（21）に対して偏心しているピストン（17）と、上記内側シリンダ室（C3）、中間シリンダ室（C2）および外側シリンダ室（C1）を高圧室（C1-Hp,C2-Hp,C3-Hp）と低圧室（C1-Lp,C2-Lp,C3-Lp）とに区画する単体のブレード（25）とを備え、上記シリンダ（21）とピストン（17）とは相対的に偏心回転運動をするように構成されている。一方、上記ブレード（25）は、内側シリンダ室（C3）および外側シリンダ室（C1）の少なくとも何れか１室が１回転運動中において単一空間となるように上記ブレード（25）の長さ方向に進退自在に構成されている。
【００１９】
上記の発明では、例えば、外側シリンダ室（C1）、中間シリンダ室（C2）および内側シリンダ室（C3）がブレード（25）によってそれぞれ高圧室（C1-Hp,C2-Hp,C3-Hp）と低圧室（C1-Lp,C2-Lp,C3-Lp）とに区画された場合、シリンダ（21）とピストン（17）とが相対的に偏心回転運動をすると、各シリンダ室（C1,C2,C3）において流体が低圧室（C1-Lp,C2-Lp,C3-Lp）に吸入され、高圧室（C1-Hp,C2-Hp,C3-Hp）で流体が圧縮される。
【００２０】
ここで、例えば、外側シリンダ室（C1）が単一空間となるようにブレード（25）が進退すると、外側シリンダ室（C1）が高圧室（C1-Hp）と低圧室（C1-Lp）とに区画されないため、その外側シリンダ室（C1）で流体の圧縮が行われない。したがって、上記中間シリンダ室（C2）および内側シリンダ室（C3）のみで流体の圧縮が行われ、圧縮容量が低下する。また、上記外側シリンダ室（C1）に加えて中間シリンダ室（C2）を単一空間とした場合、さらに圧縮容量が低下する。これは、内側シリンダ室（C3）のみ、または内側シリンダ室（C3）に加えて中間シリンダ室（C2）を単一空間とした場合も同様である。このように、各シリンダ室（C1,C2）を単一空間とすることで、容量制御が可能となる。
【００２１】
また、第６の発明は、上記第５の発明において、上記外ピストン部（23）および内側シリンダ部（21b）は、ブレード（25）が貫通可能に一部分が分断されたＣ型に形成されている。そして、上記ブレード（25）は、内ピストン部（24）に形成されたブレード溝（26）に内ピストン部（24）の径方向に沿って進退自在に挿入されている。一方、上記ブレード（25）は、先端が外側シリンダ部（21a）の内周面に摺接して外側シリンダ室（C1）、中間シリンダ室（C2）および内側シリンダ室（C3）を高圧室（C1-Hp,C2-Hp,C3-Hp）と低圧室（C1-Lp,C2-Lp,C3-Lp）とに区画する第１状態と、先端が外ピストン部（23）の分断箇所内に位置して外側シリンダ室（C1）のみを単一空間とする第２状態と、先端が内側シリンダ部（21b）の分断箇所内に位置して外側シリンダ室（C1）および中間シリンダ室（C2）のみをそれぞれ単一空間とする第３状態とになるように進退する。
【００２２】
上記の発明では、例えば、ブレード（25）が第１状態の場合、シリンダ（21）とピストン（17）とが相対的に偏心回転運動をすると、各シリンダ室（C1,C2,C3）で流体の圧縮が行われる。つまり、１回転運動中において、ブレード（25）の先端が内ピストン部（24）から内側シリンダ部（21b）および外ピストン部（23）の分断箇所を順に貫通して外側シリンダ部（21a）の内周面に接した状態となる。
【００２３】
上記ブレード（25）が第２状態の場合、中間シリンダ室（C2）および内側シリンダ室（C3）のみが低圧室（C2-Lp,C3-Lp）と高圧室（C2-Hp,C3-Hp）とに区画され、流体の圧縮が行われる。これにより、第２状態は、第１状態より能力が低くなる。上記ブレード（25）が第３状態の場合、内側シリンダ室（C3）のみが低圧室（C3-Lp）と高圧室（C3-Hp）とに区画され、流体の圧縮が行われる。これにより、第３状態は、第２状態より能力が低くなる。このように、１つのブレード（25）を内ピストン部（24）より進退させるだけで、確実に外側シリンダ室（C1）や中間シリンダ室（C2）が単一空間となり、容量制御が行われる。
【００２４】
また、第７の発明は、上記第５の発明において、上記外ピストン部（23）および内側シリンダ部（21b）は、ブレード（25）が貫通可能に一部分が分断されたＣ型に形成されている。そして、上記ブレード（25）は、外側シリンダ部（21a）に形成されたブレード溝（26）に外外側シリンダ部（21a）の径方向に沿って進退自在に挿入されている。一方、上記ブレード（25）は、先端が内ピストン部（24）の外周面に摺接して外側シリンダ室（C1）、中間シリンダ室（C2）および内側シリンダ室（C3）を高圧室（C1-Hp,C2-Hp,C3-Hp）と低圧室（C1-Lp,C2-Lp,C3-Lp）とに区画する第１状態と、先端が内側シリンダ部（21b）の分断箇所内に位置して内側シリンダ室（C3）のみを単一空間とする第２状態と、先端が外ピストン部（23）の分断箇所内に位置して内側シリンダ室（C3）および中間シリンダ室（C2）のみをそれぞれ単一空間とする第３状態とになるように進退する。
【００２５】
上記の発明では、例えば、ブレード（25）が第１状態の場合、シリンダ（21）とピストン（17）とが相対的に偏心回転運動をすると、各シリンダ室（C1,C2,C3）で流体の圧縮が行われる。つまり、１回転運動中において、ブレード（25）の先端が外側シリンダ部（21a）から外ピストン部（23）および内側シリンダ部（21b）の分断箇所を順に貫通して内ピストン部（24）の外周面に接した状態となる。
【００２６】
上記ブレード（25）が第２状態の場合、外側シリンダ室（C1）および中間シリンダ室（C2）のみが低圧室（C1-Lp,C2-Lp）と高圧室（C1-Hp,C2-Hp）とに区画され、流体の圧縮が行われる。これにより、第２状態は、第１状態より能力が低くなる。上記ブレード（25）が第３状態の場合、外側シリンダ室（C1）のみが低圧室（C1-Lp）と高圧室（C1-Hp）とに区画され、流体の圧縮が行われる。これにより、第３状態は、第２状態より能力が低くなる。このように、１つのブレード（25）を外側シリンダ部（21a）より進退させるだけで、確実に内側シリンダ室（C3）や中間シリンダ室（C2）が単一空間となり、容量制御が行われる。
【００２７】
また、第８の発明は、上記第６または第７の発明において、上記ブレード（25）は、先端がブレード溝（26）内に位置して外側シリンダ室（C1）、中間シリンダ室（C2）および内側シリンダ室（C3）をそれぞれ単一空間とする第４状態になるように進退する。
【００２８】
上記の発明では、外側シリンダ室（C1）、中間シリンダ室（C2）および内側シリンダ室（C3）がそれぞれ単一空間となるので、全く流体の圧縮が行われないことになる。したがって、第３状態は、駆動停止させなくても、圧縮容量がゼロの状態となる。
【００２９】
また、第９の発明は、内側シリンダ室（C3）および外側の環状シリンダ室（C1,C2）を形成する内側シリンダ部（21b）と外側シリンダ部（21a）とを有するシリンダ（21）と、上記内側シリンダ室（C3）に収納される内ピストン部（24）および環状シリンダ室（C1,C2）に収納されて該環状シリンダ室（C1,C2）を外側シリンダ室（C1）と中間シリンダ室（C2）とに区画する外ピストン部（23）を有し、上記内ピストン部（24）および外ピストン部（23）が一体となって上記シリンダ（21）に対して偏心しているピストン（17）と、上記外ピストン部（23）および内ピストン部（24）と一体に形成され、上記内側シリンダ部（21b）を貫通して上記中間シリンダ室（C2）および内側シリンダ室（C3）を高圧室（C2-Hp,C3-Hp）と低圧室（C2-Lp,C3-Lp）とに区画する内側ブレード部材（25a）と、上記外側シリンダ部（21a）に形成されたブレード溝（26）に外側シリンダ部（21a）の径方向に沿って進退自在に挿入され、外側シリンダ室（C1）を高圧室（C1-Hp）と低圧室（C1-Lp）とに区画する外側ブレード部材（25b）とを備えている。そして、上記ピストン（17）は、固定状態のシリンダ（21）に対して偏心回転運動をするように構成されている。一方、上記外側ブレード部材（25b）は、先端が外ピストン部（23）の外周面に摺接して外側シリンダ室（C1）を高圧室（C1-Hp）と低圧室（C1-Lp）とに区画する第１状態と、先端が外ピストン部（23）の外周面と離隔して外側シリンダ室（C1）を１回転運動中において単一空間とする第２状態とになるように進退する。
【００３０】
上記の発明では、第１状態の場合、外側シリンダ室（C1）、中間シリンダ室（C2）および内側シリンダ室（C3）の全てにおいて流体の圧縮が行われる。第２状態の場合、中間シリンダ室（C2）および内側シリンダ室（C3）のみで流体の圧縮が行われる。これにより、第２状態は、第１状態より能力が低くなる。
【００３１】
また、第１０の発明は、内側シリンダ室（C3）および外側の環状シリンダ室（C1,C2）を形成する内側シリンダ部（21b）と外側シリンダ部（21a）とを有するシリンダ（21）と、上記内側シリンダ室（C3）に収納される内ピストン部（24）および環状シリンダ室（C1,C2）に収納されて該環状シリンダ室（C1,C2）を外側シリンダ室（C1）と中間シリンダ室（C2）とに区画する外ピストン部（23）を有し、上記内ピストン部（24）および外ピストン部（23）が一体となって上記シリンダ（21）に対して偏心しているピストン（17）と、上記外側シリンダ部（21a）および内側シリンダ部（21b）と一体に形成され、上記外ピストン部（23）を貫通して上記外側シリンダ室（C1）および中間シリンダ室（C2）を高圧室（C1-Hp,C2-Hp）と低圧室（C1-Lp,C2-Lp）とに区画する外側ブレード部材（25b）と、上記内ピストン部（24）に形成されたブレード溝（26）に内ピストン部（24）の径方向に沿って進退自在に挿入され、内側シリンダ室（C3）を高圧室（C3-Hp）と低圧室（C3-Lp）とに区画する内側ブレード部材（25a）とを備えている。そして、上記ピストン（17）は、固定状態のシリンダ（21）に対して偏心回転運動をするように構成されている。一方、上記内側ブレード部材（25a）は、先端が内側シリンダ部（21b）の内周面に摺接して内側シリンダ室（C3）を高圧室（C3-Hp）と低圧室（C3-Lp）とに区画する第１状態と、先端が内側シリンダ部（21b）の内周面と離隔して内側シリンダ室（C3）を１回転運動中において単一空間とする第２状態とになるように進退する。
【００３２】
上記の発明では、第１状態の場合、外側シリンダ室（C1）、中間シリンダ室（C2）および内側シリンダ室（C3）の全てにおいて流体の圧縮が行われる。第２状態の場合、外側シリンダ室（C1）および中間シリンダ室（C2）のみで流体の圧縮が行われる。これにより、第２状態は、第１状態より能力が低くなる。
【発明の効果】
【００３３】
したがって、第１の発明によれば、シリンダ（21）の径方向に形成された２つのシリンダ室（C1,C2）に対して、少なくとも１室が単一空間となるようにブレード（25）を環状ピストン（23）を貫通させて進退させるようにしたので、容量制御が可能となる。
【００３４】
また、第５の発明によれば、シリンダ（21）の径方向に形成された３つのシリンダ室（C1,C2,C3）に対して、少なくとも１室が単一空間となるようにブレード（25）を外ピストン部（23）および内側シリンダ部（21b）を貫通させて進退させるようにしたので、容量制御が可能となる。
【００３５】
また、第２または第６の発明によれば、ブレード（25）をシリンダ室（C1,C2）の内周側から進退させ、また第３または第７の発明によれば、ブレード（25）をシリンダ室（C1,C2）の外周側から進退させるようにしたので、確実に径方向に形成されたシリンダ室（C1,C2）を低圧室（C1-Lp,・・・）と高圧室（C1-Hp,・・・）とに区画したり単一空間とすることができる。
【００３６】
また、第４または第８の発明によれば、全てのシリンダ室（C1,・・・）を単一空間とすることができるため、機器の駆動停止させなくても圧縮容量をゼロとすることができる。したがって、例えば、機器の発停を頻繁に繰り返す場合、起動電流による電気的コストを抑制することができる。
【発明を実施するための最良の形態】
【００３７】
以下、本発明の実施形態を図面に基づいて詳細に説明する。
【００３８】
《発明の実施形態１》
本実施形態１は、回転式圧縮機に関するものである。図１に示すように、この圧縮機（1）は、ケーシング（10）内に、圧縮機構（20）と駆動機構である電動機（30）とが収納され、全密閉型に構成されている。上記圧縮機（1）は、例えば、空気調和装置の冷媒回路において、蒸発器から吸入した冷媒を圧縮して凝縮器へ吐出するために用いられる。
【００３９】
上記ケーシング（10）は、円筒状の胴部（11）と、該胴部（11）の上端部および下端部にそれぞれ固定された上部鏡板（12）および下部鏡板（13）とから構成されている。上記上部鏡板（12）には、吸入管（14）が貫通して設けられ、上記胴部（11）には、吐出管（15）が貫通して設けられている。
【００４０】
上記圧縮機構（20）は、ハウジング（16）と偏心回転部（17）とを備え、偏心回転形ピストン機構を構成している。上記ハウジング（16）は、ケーシング（10）の胴部（11）に固定され、シリンダ（21）を有している。上記偏心回転部（17）は、シリンダ（21）内に配置されるピストン（23,24）を備え、シリンダ（21）に対して偏心回転運動をするように構成されている。つまり、本実施形態では、シリンダ（21）が固定側で、ピストン（23,24）が可動側である。この圧縮機構（20）については、詳細に後述する。
【００４１】
上記電動機（30）は、ステータ（31）とロータ（32）とを備えている。上記ステータ（31）は、圧縮機構（20）の下方に配置され、ケーシング（10）の胴部（11）に固定されている。上記ロータ（32）には、該ロータ（32）と共に回転する駆動軸（33）が連結されている。この駆動軸（33）は、上下方向に延びて、上端部に形成された偏心部（33a）が偏心回転部（17）に接続されている。上記偏心部（33a）は、他の部分よりも大径に形成され、駆動軸（33）の軸心から所定量だけ偏心している。
【００４２】
上記駆動軸（33）の内部には、軸方向にのびる給油路（図示省略）が設けられている。また、上記駆動軸（33）の下端部には、給油ポンプ（34）が設けられている。この給油ポンプ（34）は、ケーシング（10）内の底部に貯まる潤滑油を汲み上げ、駆動軸（33）の給油路を通じて圧縮機構（20）の摺動部へ供給するように構成されている。
【００４３】
上記シリンダ（21）は、ハウジング（16）と一体に形成され、外側シリンダ部（21a）および内側シリンダ部（21b）を備えている。上記外側シリンダ部（21a）および内側シリンダ部（21b）は、互いに同軸の円環状に形成されている。そして、上記外側シリンダ部（21a）の内周面と内側シリンダ部（21b）の外周面との間には、環状のシリンダ室（C1,C2）が形成され、内側シリンダ部（21b）内には、円形のシリンダ室が形成されている。
【００４４】
上記偏心回転部（17）は、鏡板（22）と、該鏡板（22）の上面に一体に立設された外ピストンとしての環状ピストン（23）と、内ピストンとしての円柱状ピストン（24）とを備えている。上記環状ピストン（23）は、内径が円柱状ピストン（24）の外径より大径に形成され、該円柱状ピストン（24）と同軸に形成されている。そして、上記偏心回転部（17）は、環状ピストン（23）が環状のシリンダ室（C1,C2）内に配置されて該シリンダ室（C1,C2）を外側シリンダ室（C1）と中間シリンダ室（C2）とに区画すると共に、円柱状ピストン（24）が内側シリンダ部（21b）内に配置されて内側シリンダ室（C3）を形成するように構成されている。
【００４５】
つまり、上記外側シリンダ室（C1）は第１シリンダ室として外側シリンダ部（21a）の内周面と環状ピストン（23）の外周面との間に形成され、上記中間シリンダ室（C2）は第２シリンダ室として環状ピストン（23）の内周面と内側シリンダ部（21b）の外周面との間に形成され、上記内側シリンダ室（C3）は第３シリンダ室として内側シリンダ部（21b）の内周面と円柱状ピストン（24）の外周面との間に形成されいてる。このように、本実施形態の圧縮機構（20）は、３つのシリンダ室（C1,C2,C3）がシリンダ（21）の径方向に形成されている。
【００４６】
上記環状ピストン（23）は、外周面が外側シリンダ部（21a）の内周面と実質的に１点で接すると共に、その接点と位相が１８０°異なる位置で内周面が内側シリンダ部（21b）の外周面と実質的に１点で接するように形成されている。上記円柱状ピストン（24）は、環状ピストン（23）と外側シリンダ部（21a）との接点と同位相の位置で、外周面が内側シリンダ部（21b）の内周面と実質的に１点で接するように形成されている。
【００４７】
上記偏心回転部（17）は、鏡板（22）の下面に駆動軸（33）の嵌合部（22a）が一体に形成されている。この嵌合部（22a）は、環状ピストン（23）や円柱状ピストン（24）と同軸の円筒状に形成されている。この嵌合部（22a）は、駆動軸（33）の偏心部（33a）が回転自在に嵌め込まれて連結されている。
【００４８】
図２に示すように、上記円柱状ピストン（24）には、該円柱状ピストン（24）の径方向に沿ってブレード溝（26）が形成されている。このブレード溝（26）には、長方形板状のブレード（25）が円柱状ピストン（24）の径方向に沿って進退且つ摺動可能に挿入されている。上記ブレード溝（26）のブレード背部室（28）内には、ブレード（25）を径方向外方へ付勢するスプリング（27）が設けられている。そして、上記ブレード（25）は、各シリンダ室（C1,C2,C3）を第１室として圧縮室である高圧室（C1-Hp,C2-Hp,C3-Hp）と第２室として吸入室である低圧室（C1-Lp,C2-Lp,C3-Lp）とに区画可能に構成されている。
【００４９】
上記内側シリンダ部（21b）は、環状の一部分が分断されてＣ型に形成されている。この内側シリンダ部（21b）の分断部分には、ブレード（25）が挿通する揺動ブッシュ（29）が設けられている。この揺動ブッシュ（29）は、吐出側ブッシュ（29a）と吸入側ブッシュ（29b）とにより構成されている。上記吐出側ブッシュ（29a）および吸入側ブッシュ（29b）は、ブレード（25）に対して、それぞれ高圧室（C1-Hp,C2-Hp）側および低圧室（C1-Lp,C2-Lp）側に位置している。
【００５０】
上記吐出側ブッシュ（29a）および吸入側ブッシュ（29b）は、何れも断面形状が略半円形に形成され、平面同士が対向するように配置されている。つまり、上記ブレード（25）は、揺動ブッシュ（29）の対向面の間を摺接しながら挿通する。また、上記揺動ブッシュ（29）は、内側シリンダ部（21b）に対してブレード（25）と一体的に揺動するように構成されている。なお、上記両ブッシュ（29a,29b）は、別体ではなく、一部で連結される一体構造に形成してもよい。
【００５１】
上記環状ピストン（23）は、環状の一部分が分断されてＣ型に形成されている。この環状ピストン（23）の分断箇所は、ブレード（25）が摺接しながら挿通するためのブレード挿通部（23a）を構成している。
【００５２】
上記圧縮機構（20）では、駆動軸（33）の回転に伴い、環状ピストン（23）と外側シリンダ部（21a）および内側シリンダ部（21b）との各接点と、円柱状ピストン（24）と内側シリンダ部（21b）との接点とが、例えば図４における（Ａ）図から（Ｄ）図へ移動する。つまり、上記圧縮機構（20）は、駆動軸（33）の回転により、環状ピストン（23）および円柱状ピストン（24）が自転することなく、駆動軸（33）の周りを公転運動するように構成されている。
【００５３】
また、上記圧縮機構（20）は、本発明の特徴として、ブレード（25）によって高圧室（C1-Hp,・・・）と低圧室（C1-Lp,・・・）とに区画されるシリンダ室（C1,C2,C3）の数量が可変となるように構成されている。つまり、上記ブレード（25）は、３つの全てのシリンダ室（C1,C2,C3）を区画する第１状態と、中間シリンダ室（C2）および内側シリンダ室（C3）のみを区画する第２状態と、内側シリンダ室（C3）のみを区画する第３状態と、全てのシリンダ室（C1,C2,C3）を区画しない第４状態（全休止状態）とに切り換わるように可動する。
【００５４】
つまり、上記ブレード（25）は、第１状態の場合、先端が常に外側シリンダ部（21a）の内周面に摺接し、第２状態の場合、先端が環状ピストン（23）のブレード挿通部（23a）内に位置して外側シリンダ室（C1）のみを単一空間とし、第３状態の場合、先端が内側シリンダ部（21b）の揺動ブッシュ（29）内に位置して外側シリンダ室（C1）および中間シリンダ室（C2）のみをそれぞれ単一空間とし、全休止状態の場合、先端がブレード溝（26）内に位置して外側シリンダ室（C1）、中間シリンダ室（C2）および内側シリンダ室（C3）をそれぞれ単一空間とするように進退自在に構成されている。
【００５５】
図３に示すように、上記ブレード（25）の内部には、可動用作動室（51）が設けられている。この可動用作動室（51）は、ブレード（25）の厚さ方向（図３における上下方向）における中央に位置し、断面がブレード（25）の幅方向（図３における左右方向）に延びる長穴形状に形成されている。そして、この可動用作動室（51）は、ブレード（25）の長さ方向（図３における紙面方向）に沿って延びている。上記可動用作動室（51）内には、円柱状ピストン（24）の一部である仕切りピン（54）が設けられている。この仕切りピン（54）は、ブレード（25）の長さ方向に延びる円柱状に形成され、可動用作動室（51）を先端側室（52）と後端側室（53）とに区画するように構成されている。
【００５６】
上記円柱状ピストン（24）の内部には、ブレード溝（26）に開口する固定用作動室（56）が設けられている。この固定用作動室（56）には、固定用ピストン（57）とスプリング（58）が設けられている。
【００５７】
上記固定用ピストン（57）は、矩形体に形成され、固定用作動室（56）内を進退且つ摺動可能に挿入されている。上記スプリング（58）は、固定用作動室（56）の背部室（59）に設けられ、固定用ピストン（57）を背部室（59）側に引っ張っている。
【００５８】
上記ブレード（25）の一側面には、３つの固定穴（55a,55b,55c）が形成されている。この固定穴（55a,55b,55c）は、ブレード（25）の幅方向に互いに所定間隔を存して並んでおり、ブレード（25）の先端側から順に第１固定穴（55a）、第２固定穴（55b）および第３固定穴（55c）として形成されている。上記各固定穴（55a,55b,55c）は、固定用作動室（56）の固定用ピストン（57）が嵌合可能な形状および大きさに形成され、該固定用ピストン（57）の嵌合によってブレード（25）を円柱状ピストン（24）および環状ピストン（23）に対して固定するようにしている。
【００５９】
上記第１固定穴（55a）は、固定用ピストン（57）が嵌合した状態で、ブレード（25）が全休止状態となる位置に形成されている。つまり、この状態では、ブレード（25）全体がブレード溝（26）内に収納され、全てのシリンダ室（C1,C2,C3）がブレード（25）によって区画されないことになる。
【００６０】
上記第２固定穴（55b）は、固定用ピストン（57）が嵌合した状態で、ブレード（25）が第３状態となる位置に形成されている。つまり、この状態では、内側シリンダ室（C3）のみで冷媒の圧縮が行われる。なお、この第３状態では、ブレード（25）の先端が常に揺動ブッシュ（29）中心より外側に位置するようにしている。これにより、揺動ブッシュ（29）の平面部において、片側に荷重が集中作用するのを防止できるので、揺動ブッシュ（29）の挙動を安定させることができる。
【００６１】
上記第３固定穴（55c）は、固定用ピストン（57）が嵌合した状態で、ブレード（25）が第２状態となる位置に形成されている。つまり、この状態では、中間シリンダ室（C2）および内側シリンダ室（C3）のみで冷媒の圧縮が行われる。
【００６２】
また、上記圧縮機構（20）は、各固定穴（55a,55b,55c）の何れにも固定用ピストン（57）が嵌合しない状態では、ブレード（25）がブレード溝（26）に対して自由に進退可能となり、第１状態となる。つまり、この状態では、全てのシリンダ室（C1,C2,C3）で冷媒の圧縮が行われる。
【００６３】
上記ブレード溝（26）のブレード背部室（28）は、圧力Ｐ１が作用する高圧状態と作用しない低圧状態とに切換可能に構成されている。つまり、上記ブレード背部室（28）が高圧状態に切り換わると、スプリング（27）と高圧とによってブレード（25）が径方向外方へ付勢される。
【００６４】
上記ブレード（25）の可動用作動室（51）は、圧力Ｐ２が先端側室（52）に作用する第１状態と、圧力Ｐ２が後端側室（53）に作用する第２状態と、圧力Ｐ２が先端側室（52）および後端側室（53）の何れにも作用しない第３状態とに切換可能に構成されている。つまり、上記可動用作動室（51）は、第１状態または第２状態に切り換わると、先端側室（52）と後端側室（53）との間に生じる圧力差により、ブレード（25）が径方向外方または径方向内方へ摺動するように構成されている。
【００６５】
上記固定用作動室（56）の背部室（59）は、圧力Ｐ３が作用する高圧状態と作用しない低圧状態とに切換可能に構成されいている。つまり、上記背部室（59）は、高圧状態に切り換わると、固定用ピストン（57）が圧力Ｐ３によってブレード溝（26）へ摺動し、低圧状態に切り換わると、固定用ピストン（57）がスプリング（58）の引張り力によって固定用作動室（56）内に収納される。なお、上記圧力Ｐ１〜圧力Ｐ３は、例えば、後述するケーシング（10）内における高圧空間（S2）の高圧が利用されてもよいし、外部の冷媒配管における高圧部の圧力が利用されてもよい。
【００６６】
上記圧縮機構（20）は、第１状態の場合、ブレード（25）が固定用ピストン（57）によって固定されずに（図３（Ａ）参照）、ブレード（25）の先端が常に外側シリンダ部（21a）の内周面に接触するようにブレード（25）がブレード溝（26）に対して進退する（図４参照）。この状態では、３つのシリンダ室（C1,C2,C3）のそれぞれにおいて冷媒の圧縮が行われる。
【００６７】
また、上記第２状態の場合、圧縮機構（20）は、ブレード（25）の第３固定穴（55c）に固定用ピストン（57）が嵌合することにより（図３（Ｂ）参照）、ブレード（25）がブレード溝（26）に対して進退することなく固定される（図５参照）。この第２状態では、外側シリンダ室（C1）が休止し、中間シリンダ室（C2）および内側シリンダ室（C3）のそれぞれにおいて冷媒の圧縮が行われる。
【００６８】
また、上記第３状態の場合、圧縮機構（20）は、ブレード（25）の第２固定穴（55b）に固定用ピストン（57）が嵌合することにより、ブレード（25）がブレード溝（26）に対して進退することなく固定される（図６参照）。この第３状態では、外側シリンダ室（C1）および中間シリンダ室（C2）が休止し、内側シリンダ室（C3）において冷媒の圧縮が行われる。
【００６９】
また、上記全休止状態の場合、圧縮機構（20）は、ブレード（25）の第１固定穴（55a）に固定用ピストン（57）が嵌合することにより、ブレード（25）がブレード溝（26）に対して進退することなく固定される（図７参照）。この全休止状態では、全てのシリンダ室（C1,C2,C3）が休止し、冷媒の圧縮が全く行われない。
【００７０】
このように、全休止状態は容量がゼロの状態であり、次いで容量が低い順に、第３状態、第２状態、第１状態となる。
【００７１】
上部ハウジング（16）には、吸入管（14）の下方に長穴状の吸入口（41）が形成されている。この吸入口（41）は、ハウジング（16）をその軸方向に貫通し、各シリンダ室（C1,C2,C3）の低圧室（C1-Lp,C2-Lp,C3-Lp）とハウジング（16）の上方空間（低圧空間（S1））とを連通させている。また、上記環状ピストン（23）には、外側シリンダ室（C1）の低圧室（C1-Lp）と中間シリンダ室（C2）の低圧室（C2-Lp）とが連通する貫通孔（43）が形成されている。上記内側シリンダ部（21b）には、中間シリンダ室（C2）の低圧室（C2-Lp）と内側シリンダ室（C3）の低圧室（C3-Lp）とが連通する貫通孔（44）が形成されている。
【００７２】
なお、上記環状ピストン（23）と内側シリンダ部（21b）は、上記吸入口（41）に対応した箇所の上端部を図１に破線で示すように面取りし、くさび形状にするとよい。こうすると、低圧室（C2-Lp,C3-Lp）への冷媒の吸入を効率よく行うことができる。
【００７３】
上記ハウジング（16）には、３つの吐出口（45）が形成されている。この各吐出口（45）は、ハウジング（16）をその軸方向に貫通している。この各吐出口（45）の下端は、それぞれ各シリンダ室（C1,C2,C3）の高圧室（C1-Hp,C2-Hp,C3-Hp）に臨むように開口している。一方、この各吐出口（45）の上端は、該吐出口（45）を開閉するリード弁である吐出弁（46）を介して吐出空間（47）に連通している。
【００７４】
この吐出空間（47）は、ハウジング（16）とカバープレート（18）との間に形成されている。そして、上記外側シリンダ部（21a）には、吐出空間（47）からハウジング（16）の下方空間（高圧空間（S2））に連通する吐出通路（47a）が形成されている。
【００７５】
−運転動作−
次に、この圧縮機（1）の運転動作について説明する。なお、ここでは、第１状態、第２状態、第３状態および全休止状態へと順に切り換える動作並びに各状態における圧縮動作について、図４〜図７を参照しながら説明する。
【００７６】
上記第１状態の場合、ブレード背部室（28）が高圧状態に、可動用作動室（51）が第３状態に、固定用作動室（56）の背部室（59）が低圧状態にそれぞれ切り換えられる。  上記の状態において、電動機（30）を起動すると、ロータ（32）の回転が駆動軸（33）を介して偏心回転部（17）に伝達される。これにより、図４に示すように、環状ピストン（23）および円柱状ピストン（24）が外側シリンダ部（21a）および内側シリンダ部（21b）に対して揺動しながら公転し、所定の圧縮動作が行われる。その際、上記ブレード（25）は、先端が常に外側シリンダ部（21a）の内周面に接触するようにブレード溝（26）に対して進退動作を行うと共に、揺動ブッシュ（29）と一体となって内側シリンダ部（21b）に対して揺動動作を行う。
【００７７】
具体的に、上記外側シリンダ室（C1）および内側シリンダ室（C3）では、図４（Ｂ）の状態で各低圧室（C1-Lp,C3-Lp）の容積がほぼ最小であり、ここから駆動軸（33）が図の右回りに回転して図４（Ｃ）、図４（Ｄ）、図４（Ａ）の状態へ変化するに従って該低圧室（C1-Lp,C3-Lp）の容積が増大し、それに伴って、冷媒が吸入管（14）および吸入口（41）を通って該各低圧室（C1-Lp,C3-Lp）に吸入される。ここで、内側シリンダ室（C3）の低圧室（C3-Lp）には、吸入口（41）からだけでなく、外側シリンダ室（C1）の低圧室（C1-Lp）から貫通孔（43）、中間シリンダ室（C2）の低圧室（C2-Lp）および貫通孔（44）を通って冷媒が吸入される。
【００７８】
上記駆動軸（33）が一回転して再び図４（Ｂ）の状態になると、各低圧室（C1-Lp,C3-Lp）への冷媒の吸入が完了する。そして、この各低圧室（C1-Lp,C3-Lp）が冷媒を圧縮する高圧室（C1-Hp,C3-Hp）となり、ブレード（25）を隔てて新たな低圧室（C1-Lp,C3-Lp）が形成される。上記駆動軸（33）がさらに回転すると、上記各低圧室（C1-Lp,C3-Lp）において冷媒の吸入が繰り返される一方、各高圧室（C1-Hp,C3-Hp）の容積が減少し、該各高圧室（C1-Hp,C3-Hp）で冷媒が圧縮される。この各高圧室（C1-Hp,C3-Hp）の圧力が所定値となって吐出空間（47）との差圧が設定値に達すると、該高圧室（C1-Hp,C3-Hp）の高圧冷媒によってそれぞれの吐出弁（46）が開き、高圧冷媒が吐出空間（47）から吐出通路（47a）を通って高圧空間（S2）へ流出する。
【００７９】
上記中間シリンダ室（C2）では、図４（Ｄ）の状態で低圧室（C2-Lp）の容積がほぼ最小であり、ここから駆動軸（33）が図の右回りに回転して図４（Ａ）、図４（Ｂ）、図４（Ｃ）の状態へ変化するに従って該低圧室（C2-Lp）の容積が増大し、それに伴って、冷媒が吸入管（14）および吸入口（41）を通って該低圧室（C2-Lp）に吸入される。ここで、該低圧室（C2-Lp）には、吸入口（41）からだけでなく、外側シリンダ室（C1）の低圧室（C1-Lp,C3-Lp）からも貫通孔（43）を通って冷媒が吸入される。
【００８０】
上記駆動軸（33）が一回転して再び図４（Ｄ）の状態になると、上記低圧室（C2-Lp）への冷媒の吸入が完了する。そして、この低圧室（C2-Lp）が冷媒を圧縮する高圧室（C2-Hp）となり、ブレード（25）を隔てて新たな低圧室（C2-Lp）が形成される。上記駆動軸（33）がさらに回転すると、上記低圧室（C2-Lp）において冷媒の吸入が繰り返される一方、高圧室（C2-Hp）の容積が減少し、該高圧室（C2-Hp）で冷媒が圧縮される。この高圧室（C2-Hp）の圧力が所定値となって吐出空間（47）との差圧が設定値に達すると、該高圧室（C2-Hp）の高圧冷媒によって吐出弁（46）が開き、高圧冷媒が吐出空間（47）から吐出通路（47a）を通って高圧空間（S2）へ流出する。
【００８１】
このように、各シリンダ室（C1,C2,C3）で圧縮されて高圧空間（S2）へ流出した高圧の冷媒は、吐出管（15）から吐出され、冷媒回路で凝縮行程、膨張行程、および蒸発行程を経た後、再び圧縮機（1）に吸入される。
【００８２】
次に、上記第１状態から第２状態への切換について説明する。先ず、上記ブレード背部室（28）が低圧状態に、可動用作動室（51）が第２状態に、固定用作動室（56）の背部室（59）が高圧状態にそれぞれ設定される。これにより、ブレード（25）がブレード溝（26）を後退し、固定用作動室（56）の固定用ピストン（57）がブレード（25）の第３固定穴（55c）に嵌合する。
【００８３】
上記の状態において、電動機（30）を起動すると、図５に示すように、環状ピストン（23）および円柱状ピストン（24）が外側シリンダ部（21a）および内側シリンダ部（21b）に対して揺動しながら公転し、所定の圧縮動作が行われる。その際、上記ブレード（25）は、先端が常に環状ピストン（23）の外周面よりやや内側に位置すると共に、揺動ブッシュ（29）と一体となって内側シリンダ部（21b）に対して揺動動作を行う。
【００８４】
具体的に、上記外側シリンダ室（C1）では、図５（Ａ）〜（Ｄ）の何れにおいてもブレード（25）によって低圧室（C1-Lp）と高圧室（C1-Hp）とに区画されることはない。したがって、吸入口（41）より流入した冷媒がそのまま吐出口（45）から流出する。つまり、上記外側シリンダ室（C1）は、冷媒の圧縮が行われない、いわゆる休止状態となる。
【００８５】
上記中間シリンダ室（C2）では、図５（Ｄ）の状態で低圧室（C2-Lp）の容積がほぼ最小となり、上記第１状態と同様に、駆動軸（33）が図の右回りに回転して図５（Ａ）、図５（Ｂ）、図５（Ｃ）の状態へ変化するに従って、冷媒が吸入されて圧縮される。
【００８６】
上記内側シリンダ室（C3）では、図５（Ｂ）の状態で低圧室（C3-Lp）の容積がほぼ最小となり、上記第１状態と同様に、駆動軸（33）が図の右回りに回転して図５（Ｃ）、図５（Ｄ）、図５（Ａ）の状態へ変化するに従って、冷媒が吸入されて圧縮される。このように、第２状態は、第１状態に比べて、外側シリンダ室（C1）で冷媒の圧縮が行われない分、圧縮機（1）の能力が低下する。
【００８７】
次に、上記第２状態から第３状態への切換について説明する。先ず、上記固定用作動室（56）の背部室（59）が低圧状態に設定される。これにより、固定用作動室（56）の固定用ピストン（57）が後退し、ブレード（25）の第３固定穴（55c）から抜ける。その後、上記ブレード背部室（28）が低圧状態に、可動用作動室（51）が第２状態に、固定用作動室（56）の背部室（59）が高圧状態に設定される。これにより、ブレード（25）がブレード溝（26）をさらに後退し、固定用作動室（56）の固定用ピストン（57）がブレード（25）の第２固定穴（55b）に嵌合する。
【００８８】
上記の状態において、電動機（30）を起動すると、図６に示すように、環状ピストン（23）および円柱状ピストン（24）が外側シリンダ部（21a）および内側シリンダ部（21b）に対して揺動しながら公転し、所定の圧縮動作が行われる。その際、上記ブレード（25）は、常に、先端が揺動ブッシュ（29）中心より外側であって環状ピストン（23）の内周面よりやや内側に位置すると共に、揺動ブッシュ（29）と一体となって内側シリンダ部（21b）に対して揺動動作を行う。
【００８９】
具体的に、上記外側シリンダ室（C1）では、上記第２状態と同様に、吸入口（41）より流入した冷媒が圧縮されずに、そのまま吐出口（45）より流出する。
【００９０】
上記中間シリンダ室（C2）では、図６（Ａ）〜（Ｄ）の何れにおいてもブレード（25）によって低圧室（C2-Lp）と高圧室（C2-Hp）とに区画されることはない。したがって、吸入口（41）および外側シリンダ室（C1）の低圧室（C1-Lp）より流入した冷媒がそのまま吐出口（45）から流出する。つまり、上記中間シリンダ室（C2）は、冷媒の圧縮が行われない、いわゆる休止状態となる。
【００９１】
上記内側シリンダ室（C3）では、図６（Ｂ）の状態で低圧室（C3-Lp）の容積がほぼ最小となり、上記第１状態と同様に、駆動軸（33）が図の右回りに回転して図６（Ｃ）、図６（Ｄ）、図６（Ａ）の状態へ変化するに従って、冷媒が吸入されて圧縮される。このように、第３状態は、第２状態に比べて、中間シリンダ室（C2）で冷媒の圧縮が行われない分、圧縮機（1）の能力が低下する。
【００９２】
次に、上記第３状態から全休止状態への切換について説明する。先ず、上記固定用作動室（56）の背部室（59）が低圧状態に設定される。これにより、固定用作動室（56）の固定用ピストン（57）が後退し、ブレード（25）の第２固定穴（55b）から抜ける。その後、上記ブレード背部室（28）が低圧状態に、可動用作動室（51）が第２状態に、固定用作動室（56）の背部室（59）が高圧状態に設定される。これにより、ブレード（25）がブレード溝（26）をさらに後退し、固定用作動室（56）の固定用ピストン（57）がブレード（25）の第１固定穴（55a）に嵌合する。
【００９３】
上記の状態において、電動機（30）を起動すると、図７に示すように、環状ピストン（23）および円柱状ピストン（24）が外側シリンダ部（21a）および内側シリンダ部（21b）に対して揺動しながら公転し、所定の圧縮動作が行われる。その際、上記ブレード（25）は、全体がブレード溝（26）内に収納されて固定される。つまり、上記ブレード（25）の先端が円柱状ピストン（24）の外周面から出ないようになっている。
【００９４】
具体的に、上記外側シリンダ室（C1）および中間シリンダ室（C2）では、上記第３状態と同様に、流入した冷媒が圧縮されずに、そのまま各吐出口（45）より流出する。
【００９５】
上記内側シリンダ室（C3）では、図７（Ａ）〜（Ｄ）の何れにおいてもブレード（25）によって低圧室（C3-Lp）と高圧室（C3-Hp）とに区画されることはない。したがって、吸入口（41）等より流入した冷媒がそのまま吐出口（45）から流出する。つまり、上記内側シリンダ室（C3）は、冷媒の圧縮が行われない、いわゆる休止状態となる。このように、全休止状態は、３つのシリンダ室（C1,C2,C3）の何れにおいても冷媒の圧縮が行われないため、圧縮機（1）の能力がゼロの状態となる。
【００９６】
一方、例えば、全休止状態から第３状態、第２状態および第１状態へと順に切り換える際、つまり圧縮機（1）の容量を増大させる際は、可動用作動室（51）を第１状態に設定してブレード（25）を径方向外方へ可動させ、固定用ピストン（57）を所定の固定穴（55a,55b,55c）に嵌合させる。
【００９７】
なお、本実施形態では、各状態を順に切り換える場合だけでなく、例えば、第１状態から、一気に第３状態または全休止状態へ切り換えて圧縮機（1）の能力を大幅に低下させることもできるし、逆に全休止状態から一気に第１状態へ切り換えて圧縮機（1）の能力を大幅に増大させることもできる。
【００９８】
−実施形態１の効果−
以上のように、本実施形態１によれば、シリンダ（21）の径方向に３つのシリンダ室（C1,C2,C3）を形成し、円柱状ピストン（24）に挿入したブレード（25）を内側シリンダ部（21b）および環状ピストン（23）を摺接しながら挿通させて進退させるようにしたので、そのブレード（25）を所定位置まで進退させることで低圧室（C1-Lp,・・・）と高圧室（C1-Hp,・・・）とに区画するシリンダ室（C1,C2,C3）の数量を変更することができる。これにより、圧縮機（1）の能力制御が可能となる。
【００９９】
また、１つのブレード（25）を進退させるだけでよいため、簡易に能力変更ができると共に、従来のように環状ピストン（23）におけるブレードの片当たりが生じないため、環状ピストン（23）や内側シリンダ部（21b）の損傷を防止でき、機器の信頼性が向上する。  また、上記内側シリンダ部（21b）の分断箇所に揺動ブッシュ（29）を設け、ブレード（25）を揺動自在に保持するようにしたので、環状ピストン（23）および円柱状ピストン（24）をブレード（25）と一体となって確実に揺動回転させることができる。
【０１００】
さらに、本実施形態の圧縮機（1）は、全休止状態にすることができるので、例えば、頻繁に運転の発停を繰り返す場合、わざわざ電動機（30）を停止させなくても能力をゼロにすることができる。これにより、電動機（30）を起動させる際には運転中の電流より高い起動電流が流れるが、この起動電流によって懸かる電気代を省略することができる。
【０１０１】
また、ほぼ中央に位置する円柱状ピストン（24）にブレード溝（26）を設けていることから、シリンダにブレード溝を設けてブレードを進退させる従来のロータリ式圧縮機に比べて、シリンダ（21）全体の径を小さくすることができる。この結果、圧縮機（1）のコンパクト化を図ることができる。
【０１０２】
−実施形態１の変形例−
本変形例は、図１４に示すように、上記実施形態１における３つのシリンダ室（C1,C2,C3）を２つのシリンダ室（C1,C2）に変更したものである。つまり、本変形例は、実施形態１における円柱状ピストン（24）を省略し、内側シリンダ部（21b）を中実の円柱状に形成するようにしたものである。
【０１０３】
具体的に、上記圧縮機構（20）では、シリンダ室（C1,C2）が環状ピストン（23）によって外側シリンダ室（C1）と内側シリンダ室（C2）とに区画される。上記ブレード溝（26）は、内側シリンダ部（21b）に径方向に延びて形成され、ブレード（25）が進退自在に挿入されている。上記揺動ブッシュ（29）は、環状ピストン（23）の分断箇所に設けられている。そして、上記ブレード（25）は、先端が揺動ブッシュ（29）を挿通して外側シリンダ部（21a）の内周面に接する第１状態（図１４に実線で示す状態）と、先端が揺動ブッシュ（29）内に位置して外側シリンダ室（C1）を単一空間とする第２状態（図１４に二点鎖線で示す状態）と、先端がブレード溝（26）内に位置して外側シリンダ室（C1）および内側シリンダ室（C2）の両方を単一空間とする第３状態（図示せず）とになるように進退する。
【０１０４】
このように、第１状態、第２状態および第３状態と順に容量が低くなるので、１つのブレード（25）を進退させるだけで、容量制御が可能となる。その他の構成、作用および効果は実施形態１と同様である。
【０１０５】
《発明の実施形態２》
本実施形態２の圧縮機（1）は、上記実施形態１がブレード溝（26）を円柱状ピストン（24）に形成するようにしたのに代えて、外側シリンダ部（21a）に形成するようにしたものである。さらに、本実施形態２は、実施形態１におけるブレード（25）の可動機構を変更したものである。
【０１０６】
図８に示すように、上記ブレード溝（26）は、外側シリンダ部（21a）の径方向に沿って形成されている。上記ブレード溝（26）には、ブレード（25）が外側シリンダ部（21a）の径方向に沿って進退且つ摺動可能に挿入されている。上記ブレード溝（26）のブレード背部室（28）内には、ブレード（25）を径方向内方へ付勢するスプリング（27）が設けられている。そして、上記ブレード（25）は、実施形態１と同様に、各シリンダ室（C1,C2,C3）を高圧室（C1-Hp,C2-Hp,C3-Hp）と低圧室（C1-Lp,C2-Lp,C3-Lp）とに区画可能に構成されている。
【０１０７】
本実施形態は、ブレード（25）が挿通する揺動ブッシュ（29）が内側シリンダ部（21b）ではなく環状ピストン（23）に設けられている。上記環状ピストン（23）は、環状の一部分が分断されてＣ型形状に形成されている。そして、上記揺動ブッシュ（29）が環状ピストン（23）の分断部分に設けられている。上記揺動ブッシュ（29）は、ブレード（25）に対して環状ピストン（23）と一体的に揺動するように構成されている。
【０１０８】
上記内側シリンダ部（21b）は、環状の一部分が分断されてＣ型形状に形成されている。この内側シリンダ部（21b）の分断部分は、ブレード（25）が挿通するためのブレード挿通部（2）を構成している。つまり、上記ブレード（25）は、ブレード挿通部（23a）を摺動する。
【０１０９】
また、上記圧縮機構（20）は、ブレード（25）によって高圧室（C1-Hp,・・・）と低圧室（C1-Lp,・・・）とに区画されるシリンダ室（C1,C2,C3）の数量が可変となるように構成されている。つまり、上記ブレード（25）は、３つの全てのシリンダ室（C1,C2,C3）を区画する第１状態と、外側シリンダ室（C1）および中間シリンダ室（C2）のみを区画する第２状態と、外側シリンダ室（C1）のみを区画する第３状態と、全てのシリンダ室（C1,C2,C3）を区画しない全休止状態とに切り換わるように可動する。
【０１１０】
図９に示すように、上記ブレード（25）の一側面には、ラック（61）が形成されている。このラック（61）は、ブレード（25）の幅方向（図９における左右方向）に沿って形成されている。上記外側シリンダ部（21a）の内部には、ピニオンギヤ（62）が設けられている。このピニオンギヤ（62）は、ブレード（25）に形成されたラック（61）に噛み合い、回転することによってブレード（25）をブレード溝（26）に対して進退させるように構成されている。なお、上記ピニオンギヤ（62）は、図示しないが、例えば、別途設けられるステップモータの駆動軸に連結され、正逆可能に回転駆動される。
【０１１１】
具体的に、第１状態の場合は、ピニオンギヤ（62）とステップモータの駆動軸との連結を解除し、ピニオンギヤ（62）がほぼ無抵抗で回転する状態にする。すなわち、上記ブレード（25）は、スプリング（27）によって外側シリンダ部（21a）の径方向外方へ付勢され、常に先端が円柱状ピストン（24）の外周面に接触するように進退する。したがって、図１０に示すように、各シリンダ室（C1,C2,C3）が低圧室（C1-Lp,C2-Lp,C3-Lp）と高圧室（C1-Hp,C2-Hp,C3-Hp）とに区画され、各シリンダ室（C1,C2,C3）において冷媒の圧縮が行われる。なお、各シリンダ室（C1,C2,C3）における冷媒の吸入動作および圧縮動作については、実施形態１の第１状態と同様である。
【０１１２】
次に、第１状態から第２状態へ切り換える場合、ステップモータを起動してピニオンギヤ（62）を図９における右回転（本実施形態において正回転とする。）させることにより、ブレード（25）をブレード溝（26）内へ後退させる。そして、図１１に示すように、ブレード（25）の先端が内側シリンダ部（21b）のブレード挿通部（23a）内に位置する状態で、ピニオンギヤ（62）の回転を停止してブレード（25）をブレード溝（26）に対して固定する。これにより、外側シリンダ室（C1）および中間シリンダ室（C2）のみが低圧室（C1-Lp,C2-Lp）と高圧室（C1-Hp,C2-Hp）とに区画され、冷媒の圧縮が行われる。一方、上記内側シリンダ室（C3）が休止状態となる。このように、第２状態は、第１状態に比べて、内側シリンダ室（C3）で冷媒の圧縮が行われない分、圧縮機（1）の能力が低下する。
【０１１３】
次に、第２状態から第３状態へ切り換える場合、さらにピニオンギヤ（62）を右回転させ、ブレード（25）をブレード溝（26）内へ後退させる。そして、図１２に示すように、ブレード（25）の先端が内側シリンダ部（21b）の外周面より外側であって揺動ブッシュ（29）中心より内側に位置する状態で、ピニオンギヤ（62）の回転を停止してブレード（25）をブレード溝（26）に対して固定する。これにより、外側シリンダ室（C1）のみが低圧室（C1-Lp）と高圧室（C1-Hp）とに区画され、冷媒の圧縮が行われる。一方、上記内側シリンダ室（C3）および中間シリンダ室（C2）が休止状態となる。このように、第３状態は、第２状態に比べて、中間シリンダ室（C2）で冷媒の圧縮が行われない分、圧縮機（1）の能力が低下する。
【０１１４】
次に、第３状態から全休止状態へ切り換える場合、さらにピニオンギヤ（62）を右回転させ、ブレード（25）をブレード溝（26）内へ後退させる。そして、図１３に示すように、ブレード（25）全体がブレード溝（26）内に収納される状態で、ピニオンギヤ（62）の回転を停止してブレード（25）をブレード溝（26）に対して固定する。これにより、３つのシリンダ室（C1,C2,C3）の何れにおいても低圧室（C1-Lp,C2-Lp,C3-Lp）と高圧室（C1-Hp,C2-Hp,C3-Hp）とに区画されることはないため、冷媒の圧縮が行われず、圧縮機（1）の能力がゼロの状態となる。
【０１１５】
また、例えば、全休止状態から第３状態、第２状態および第１状態へと順に切り換える際には、つまり圧縮機（1）の容量を増大させる際には、ピニオンギヤ（62）を図９における左回転（本実施形態において逆回転とする。）させ、ブレード（25）を径方向内方へ可動させ、所定の位置で固定する。その他の構成、作用および効果は実施形態１と同様である。
【０１１６】
なお、本実施形態では、ブレード（25）をラック（61）およびピニオンギヤ（62）で駆動させるようにしたが、実施形態１で用いたブレード（25）の可動方法を適用するようにしてもよい。つまり、本実施形態において、ブレード（25）に可動用作動室を設け、外側シリンダ部（21a）に固定用作動室を設けるようにしてもよい。
【０１１７】
−実施形態２の変形例−
本変形例は、図１５に示すように、上記実施形態１における３つのシリンダ室（C1,C2,C3）を２つのシリンダ室（C1,C2）に変更したものである。つまり、本変形例は、実施形態２における円柱状ピストン（24）を省略し、内側シリンダ部（21b）を中実の円柱状に形成するようにしたものである。
【０１１８】
具体的に、上記圧縮機構（20）では、シリンダ室（C1,C2）が環状ピストン（23）によって外側シリンダ室（C1）と内側シリンダ室（C2）とに区画される。上記ブレード溝（26）は、外側シリンダ部（21a）に該外側シリンダ部（21a）の径方向に延びて形成され、ブレード（25）が進退自在に挿入されている。上記揺動ブッシュ（29）は、環状ピストン（23）の分断箇所に設けられている。そして、上記ブレード（25）は、先端が揺動ブッシュ（29）を挿通して内側シリンダ部（21b）の外周面に接する第１状態（図１５に実線で示す状態）と、先端が揺動ブッシュ（29）内に位置して内側シリンダ室（C2）を単一空間とする第２状態（図１５に二点鎖線で示す状態）と、先端がブレード溝（26）内に位置して外側シリンダ室（C1）および内側シリンダ室（C2）の両方を単一空間とする第３状態（図示せず）とになるように進退する。
【０１１９】
このように、第１状態、第２状態および第３状態と順に容量が低くなるので、１つのブレード（25）を進退させるだけで、容量制御が可能となる。その他の構成、作用および効果は実施形態２と同様である。
【０１２０】
《発明の実施形態３》
本実施形態３の圧縮機（1）は、図１６および図１７に示すように、上記実施形態１が１つのブレード（25）で３つのシリンダ室（C1,C2,C3）を高圧室（C1-Hp,・・・）と低圧室（C1-Lp,・・・）とに区画したのに代えて、２つのブレード部材（25a,25b）で区画するようにしたものである。
【０１２１】
また、上記実施形態１では、外ピストン部として環状ピストン（23）が、内ピストン部として円柱状ピストン（24）がそれぞれ設けられたが、本実施形態では、外ピストン部として第１環状ピストン（23）を、内ピストン部として第２環状ピストン（24）をそれぞれ設けるようにしたものである。なお、上記駆動軸（33）は、偏心回転部（17）を上下方向に貫通し、偏心部（33a）が第２環状ピストン（24）の内部に嵌合している。
【０１２２】
上記圧縮機構（20）は、上部ハウジング（16）に加え下部ハウジング（19）を備えており、その両者の間に偏心回転部（17）が位置している。上記下部ハウジング（19）は、ケーシング（10）に固定され、駆動軸（33）を回転自在に支持している。
【０１２３】
図１７に示すように、上記圧縮機構（20）は、ブレードとして、内側ブレード部材（25a）と外側ブレード部材（25b）とを備えている。
【０１２４】
上記内側ブレード部材（25a）は、第１環状ピストン（23）と第２環状ピストン（24）とに一体に形成されている。この内側ブレード部材（25a）は、第１環状ピストン（23）の内周面から第２環状ピストン（24）の外周面まで両ピストン（23,24）の径方向に延びて形成され、内側シリンダ部（21b）の分断箇所に設けられた揺動ブッシュ（29）を挿通している。したがって、上記中間シリンダ室（C2）および内側シリンダ室（C3）は、常に内側ブレード部材（25a）によって高圧室（C2-Hp,C3-Hp）と低圧室（C2-Lp,C3-Lp）とに区画される。
【０１２５】
上記両ピストン（23,24）は、揺動ブッシュ（29）と一体となってシリンダ（21）に対して揺動動作を行うと共に、内側ブレード部材（25a）と一体となってシリンダ（21）に対して進退動作を行う。
【０１２６】
上記外側ブレード部材（25b）は、外側シリンダ部（21a）に形成されたブレード溝（26）に外側シリンダ部（21a）の径方向に沿って進退自在に挿入されている。上記ブレード溝（26）のブレード背部室（28）には、外側ブレード部材（25b）を外側シリンダ部（21a）の径方向内方へ付勢するスプリング（27）が設けられている。そして、上記ブレード背部室（28）は、実施形態２と同様に、高圧が作用する状態と、この高圧が作用しない状態とに切り換わるように構成されている。
【０１２７】
この外側ブレード部材（25b）は、ブレード背部室（28）に作用する高圧により、先端が第１環状ピストン（23）の外周面に摺接する第１状態（図１７（Ａ）参照）と、ブレード背部室（28）に高圧が作用しなくなると、先端が第１環状ピストン（23）の外周面から離隔する第２状態（図１７（Ｂ）参照）とになるように進退する。すなわち、第１状態の場合、外側シリンダ室（C1）が外側ブレード部材（25b）によって高圧室（C1-Hp）と低圧室（C1-Lp）とに区画され、第２状態の場合、外側シリンダ室（C1）が区画されずに単一空間となる。この結果、第１状態では、３つのシリンダ室（C1,C2,C3）で冷媒の圧縮が行われ、第２状態では、中間シリンダ室（C2）および内側シリンダ室（C3）のみで冷媒の圧縮が行われる。その他の構成、作用および効果は実施形態１と同様である。
【０１２８】
−実施形態３の変形例−
本変形例は、図１８に示すように、上記実施形態３が外側シリンダ室（C1）を単一空間にするようにしたのに代えて、内側シリンダ室（C3）を単一空間にするようにしたものである。なお、本変形例は、上記実施形態１と同様に、内ピストン部として円柱状ピストン（24）が設けられると共に、下部ハウジング（19）が省略され、駆動軸（33）がシリンダ室（C1,C2,C3）を貫通していない。
【０１２９】
具体的に、上記外側ブレード部材（25b）は、外側シリンダ部（21a）と内側シリンダ部（21b）とに一体に形成されている。この外側ブレード部材（25b）は、外側シリンダ部（21a）の内周面から内側シリンダ部（21b）の外周面までシリンダ（21）の径方向に延びて形成され、環状ピストン（23）の分断箇所に設けられた揺動ブッシュ（29）を挿通している。したがって、上記外側シリンダ室（C1）および中間シリンダ室（C2）は、常に外側ブレード部材（25b）によって高圧室（C1-Hp,C2-Hp）と低圧室（C1-Lp,C2-Lp）とに区画される。
【０１３０】
上記内側ブレード部材（25a）は、円柱状ピストン（24）に形成されたブレード溝（26）に円柱状ピストン（24）の径方向に沿って進退自在に挿入されている。上記ブレード溝（26）のブレード背部室（28）には、内側ブレード部材（25a）を円柱状ピストン（24）の径方向外方へ付勢するスプリング（27）が設けられている。そして、上記ブレード背部室（28）は、実施形態１と同様に、高圧が作用する状態と、この高圧が作用しない状態とに切り換わるように構成されている。
【０１３１】
この内側ブレード部材（25a）は、ブレード背部室（28）に作用する高圧により、先端が内側シリンダ部（21b）の内周面に摺接する第１状態（図１８（Ａ）参照）と、ブレード背部室（28）に高圧が作用しなくなると、先端が内側シリンダ部（21b）の内周面から離隔する第２状態（図１８（Ｂ）参照）とになるように進退する。すなわち、第１状態の場合、内側シリンダ室（C3）が内側ブレード部材（25a）によって高圧室（C3-Hp）と低圧室（C3-Lp）とに区画され、第２状態の場合、外側シリンダ室（C1）が区画されずに単一空間となる。この結果、第１状態では、３つのシリンダ室（C1,C2,C3）で冷媒の圧縮が行われ、第２状態では、外側シリンダ室（C1）および中間シリンダ室（C2）のみで冷媒の圧縮が行われる。その他の構成、作用および効果は実施形態１と同様である。
【０１３２】
《その他の実施形態》
例えば、上記各実施形態では、３つのシリンダ室（C1,C2,C3）を有する圧縮機（1）について説明したが、本発明は、例えば円柱状ピストン（24）を省略した２つのシリンダ室（C1,C2）を有する圧縮機に対しても同様に適用できる。例えば、上記第１実施形態の場合、内側シリンダ部（21b）にブレード溝を形成し、該ブレード溝からブレード（25）を所定位置まで進退させる。
【０１３３】
なお、以上の実施形態は、本質的に好ましい例示であって、本発明、その適用物、あるいはその用途の範囲を制限することを意図するものではない。
【産業上の利用可能性】
【０１３４】
以上説明したように、本発明は、径方向に複数のシリンダ室を有し、該シリンダ室をブレードによって高低圧室に区画する回転式流体機械として有用である。
【図面の簡単な説明】
【０１３５】
【図１】実施形態に係る圧縮機を示す縦断面図である。
【図２】実施形態１に係る圧縮機構を示す横断面図である。
【図３】実施形態１に係る圧縮機構の要部を示す横断面図である。
【図４】実施形態１に係る第１状態の圧縮機構の動作を示す横断面図である。
【図５】実施形態１に係る第２状態の圧縮機構の動作を示す横断面図である。
【図６】実施形態１に係る第３状態の圧縮機構の動作を示す横断面図である。
【図７】実施形態１に係る全休止状態の圧縮機構の動作を示す横断面図である。
【図８】実施形態２に係る圧縮機構を示す横断面図である。
【図９】実施形態２に係る圧縮機構の要部を示す横断面図である。
【図１０】実施形態２に係る第１状態の圧縮機構の動作を示す横断面図である。
【図１１】実施形態２に係る第２状態の圧縮機構の動作を示す横断面図である。
【図１２】実施形態２に係る第３状態の圧縮機構の動作を示す横断面図である。
【図１３】実施形態２に係る全休止状態の圧縮機構の動作を示す横断面図である。
【図１４】実施形態１の変形例に係る圧縮機構を示す横断面図である。
【図１５】実施形態２の変形例に係る圧縮機構を示す横断面図である。
【図１６】実施形態３に係る圧縮機を示す縦断面図である。
【図１７】実施形態３に係る圧縮機構を示す横断面図である。
【図１８】実施形態３の変形例に係る圧縮機構を示す横断面図である。
【図１９】従来の圧縮機を示す横断面図である。
【符号の説明】
【０１３６】
1             圧縮機
17            偏心回転部（ピストン）
21            シリンダ
21a           外側シリンダ部
21b           内側シリンダ部
23            環状ピストン（外ピストン部）
24            円柱状ピストン（内ピストン部）
25            ブレード
25a           内側ブレード部材
25b           外側ブレード部材
26            ブレード溝
C1            外側シリンダ室
C2            中間シリンダ室（内側シリンダ室）
C3            内側シリンダ室
C1〜C3-Hp     高圧室
C1〜C3-Lp     低圧室
【手続補正３】
【補正対象書類名】図面
【補正対象項目名】図１７
【補正方法】変更
【補正の内容】
【図１７】
2006307762.tif 000022